(57)【要約】  炭化水素流を水素化脱アルキル化する方法であって、  （ａ）炭素数９以上の芳香族炭化水素類を含む炭化水素流を水素の存在下に水素化処理反応器中で水素化処理触媒と接触させて炭化水素生成物を得る工程；および  （ｂ）処理された炭化水素流を炭化水素生成物から回収する工程であって、処理された炭化水素流が炭素数９以上の芳香族炭化水素類を含み、処理された炭化水素流中の炭素数９以上の芳香族炭化水素類の量が、接触する工程（ａ）中における炭化水素流からの炭素数９以上の芳香族炭化水素類の少なくとも一部の水素化脱アルキル化により、炭化水素流中の炭素数９以上の芳香族炭化水素類の量より少ない工程、を含むことを特徴とする方法。
2019527271.tif 000002
【特許請求の範囲】
【請求項１】
炭化水素流を水素化脱アルキル化する方法であって、
（ａ）炭素数９以上の芳香族炭化水素類を含む前記炭化水素流を水素の存在下に水素化処理反応器中で水素化処理触媒と接触させて炭化水素生成物を得る工程；および
（ｂ）処理された炭化水素流を前記炭化水素生成物から回収する工程であって、前記処理された炭化水素流が炭素数９以上の芳香族炭化水素類を含み、前記処理された炭化水素流中の炭素数９以上の芳香族炭化水素類の量が、前記接触する工程（ａ）中における前記炭化水素流からの炭素数９以上の芳香族炭化水素類の少なくとも一部の水素化脱アルキル化により、前記炭化水素流中の炭素数９以上の芳香族炭化水素類の量より少ない工程、を含むことを特徴とする方法。
【請求項２】
前記炭化水素流を水素化処理触媒と接触させる前記工程（ａ）が、
（ｉ）約１００℃〜約５５０℃の温度；
（ｉｉ）約１バール（ｂａｒａ：絶対圧）〜約２００バール（ｂａｒｇ：ゲージ圧）の圧力；
（ｉｉｉ）約０．１／時〜約１０／時の重量空間速度；および
（ｉｖ）約１０ＮＬ／Ｌ〜約３，０００ＮＬ／Ｌの水素対炭化水素比で行われる請求項１に記載の方法。
【請求項３】
前記水素化処理触媒が、本来の場所でおよび／または本来以外の場所で前記水素化処理触媒を硫化物類および塩化物類を含む流れと接触させることにより活性化され、前記水素化処理触媒が、同時の脱塩化水素、水素化クラッキングおよび水素化脱アルキル化のために活性化される請求項１または２に記載の方法。
【請求項４】
前記水素化処理触媒が、アルミナ担体上のコバルトおよびモリブデン、アルミナ担体上のニッケルおよびモリブデン、アルミナ担体上のタングステンおよびモリブデン、アルミナ担体上の白金およびパラジウム、硫化ニッケル、アルミナ担体上の硫化ニッケル、硫化モリブデン、アルミナ担体上の硫化モリブデン、硫化ニッケルおよび硫化モリブデン、アルミナ担体上の硫化ニッケルおよび硫化モリブデン、コバルトおよびモリブデンの酸化物、アルミナ支持体上のコバルトおよびモリブデンの酸化物またはそれらの組み合わせを含む請求項１〜３のいずれか一項に記載の方法。
【請求項５】
前記炭化水素流を水素化処理触媒に接触させる前記工程（ａ）が、さらに、前記炭化水素流に含まれるおよび／または添加された一種または二種以上の硫化物類を前記水素化処理触媒に接触させることを含む請求項１〜４のいずれか一項に記載の方法。
【請求項６】
前記炭化水素流は、前記炭化水素流の硫黄含有量が、前記炭化水素流の合計重量を基準として約０．０５重量％〜約５重量％になるのに有効な量で、一種または二種以上の硫化物類が前記炭化水素流に含まれるおよび／または添加されている請求項５に記載の方法。
【請求項７】
前記炭化水素流は、前記炭化水素流の塩化物含有量が前記炭化水素流の合計重量を基準として約１０ｐｐｍ以上になる量の、一種または二種以上の塩化物化合物類が前記炭化水素流に含まれるおよび／または添加され、
前記処理された炭化水素流は、前記処理された炭化水素流の塩化物含有量が前記処理された炭化水素流の合計重量を基準として約１０ｐｐｍ未満になる量の、一種または二種以上の塩化物化合物類を含む請求項１〜６のいずれか一項に記載の方法。
【請求項８】
前記炭化水素流は、さらに、前記炭化水素流の塩化物含有量が、前記炭化水素流の合計重量を基準として約２００ｐｐｍ以上になる量の、一種または二種以上の塩化物化合物類を含む請求項１〜７のいずれか一項に記載の方法。
【請求項９】
前記処理された炭化水素流は、さらに、前記処理された炭化水素流の塩化物含有量が前記処理された炭化水素流の合計重量を基準として約１０ｐｐｍ未満になる量の、一種または二種以上の塩化物化合物を含み、
前記方法が、さらに、前記処理された炭化水素流をスチームクラッカーに供給することを含む請求項１〜８のいずれか一項に記載の方法。
【請求項１０】
前記処理された炭化水素流が約３７０℃未満の沸点終点を特徴とする請求項９に記載の方法。
【請求項１１】
処理された炭化水素流を前記炭化水素生成物から回収する前記工程（ｂ）が、
（ｉ）処理された生成物を分離器内において硫黄および塩素含有ガスから分離する工程；および、
（ｉｉ）前記処理された炭化水素流中の前記処理された生成物を前記分離器から流出させる工程を含む請求項１〜１０のいずれか一項に記載の方法。
【請求項１２】
処理された炭化水素流を前記炭化水素生成物から回収する前記工程（ｂ）が、
（ｉ）中間の処理された生成物を分離器内において硫黄および塩素含有ガスから分離する工程；
（ｉｉ）中間の処理された炭化水素流中の前記中間の処理された生成物を前記分離器から蒸留塔へ流出させて、約３７０℃未満の沸点終点を特徴とする処理された炭化水素流および約３７０℃以上の沸点終点を特徴とする重質の処理された炭化水素流を生成する工程；
（ｉｉｉ）前記処理された炭化水素流の少なくとも一部をスチームクラッカーに供給する工程；および、
（ｉｖ）前記重質の処理された炭化水素流の少なくとも一部を前記水素化処理反応器に炭化水素流として再循環させる工程を含む請求項１〜１１のいずれか一項に記載の方法。
【請求項１３】
前記炭化水素流が、炭素数６〜８の芳香族炭化水素類を含み、
前記処理された炭化水素流が、炭素数６〜８の芳香族炭化水素類を含み、
前記処理された炭化水素流中の炭素数６〜８の芳香族炭化水素類の量が、工程（ａ）中における前記炭化水素流からの炭素数９以上の芳香族炭化水素類の少なくとも一部の水素化脱アルキル化により、前記炭化水素流中の炭素数６〜８の芳香族炭化水素類の量より多いことを特徴とする請求項１〜１２のいずれか一項に記載の方法。
【請求項１４】
前記炭化水素流が、炭素数６〜８の芳香族炭化水素類および重質炭化水素分子を含み、
前記処理された炭化水素流が、炭素数６〜８の芳香族炭化水素類を含み、
前記処理された炭化水素流中の炭素数６〜８の芳香族炭化水素類の量が、前記炭化水素流中の炭素数６〜８の芳香族炭化水素類の量と比較した場合に少なくとも１重量％以上増加しており、
炭素数６〜８の芳香族炭化水素類の量の増加は、炭素数９以上の芳香族炭化水素類の少なくとも一部の水素化脱アルキル化および／または工程（ａ）中における前記炭化水素流からの重質炭化水素分子の少なくとも一部の水素化クラッキングが原因である請求項１〜１３のいずれか一項に記載の方法。
【請求項１５】
工程（ａ）中に水素化脱アルキル化される炭素数９以上の芳香族炭化水素類の前記少なくとも一部が、前記炭化水素流中の炭素数９以上の芳香族炭化水素類の約５重量％以上である請求項１〜１４のいずれか一項に記載の方法。
【請求項１６】
前記炭化水素流が、プラスチック熱分解油、タイヤ熱分解油、石油起源流、石油精製流、熱分解ガソリン、アルキル芳香族含有流、またはそれらの組み合わせを含む請求項１〜１５のいずれか一項に記載の方法。
【請求項１７】
炭化水素流を水素化処理する方法であって、前記炭化水素流の、脱塩化水素、水素化クラッキングおよび水素化脱アルキル化を同時に行うことを含んでなり、
（ａ）塩化物類および硫化物類を含有する前記炭化水素流を水素の存在下に水素化処理触媒と接触させて炭化水素生成物を得る工程であって、前記炭化水素流が、（ｉ）塩化物含有量が前記炭化水素流の合計重量を基準にして約１０ｐｐｍ以上になる量の一種または二種以上の塩化物化合物類；（ｉｉ）硫黄（Ｓ）含有量が前記炭化水素流の合計重量を基準として約０．０５重量％〜約５重量％になる量の一種または二種以上の硫化物化合物類；（ｉｉｉ）炭素数５〜８の炭化水素類；（ｉｖ）重質炭化水素分子；および、（ｖ）炭素数９以上の芳香族炭化水素類を含む工程；ならびに、
（ｂ）処理された炭化水素流を前記炭化水素生成物から回収する工程であって、前記処理された炭化水素流が、塩化物含有量が前記処理された炭化水素流の合計重量を基準として約１０ｐｐｍ未満になる量の一種または二種以上の塩化物化合物類を含み、一種または二種以上の塩化物化合物類の減少は、接触する前記工程（ａ）中における前記炭化水素流の脱塩化水素が原因であり、前記処理された炭化水素流が、重質炭化水素分子を含み、前記処理された炭化水素流中の重質炭化水素分子の量は、接触の前記工程（ａ）中における前記炭化水素流からの重質炭化水素分子の少なくとも一部の水素化クラッキングにより、前記炭化水素流中の重質炭化水素分子の量より少なく、前記処理された炭化水素流が、炭素数９以上の芳香族炭化水素類を含み、前記処理された炭化水素流中の炭素数９以上の芳香族炭化水素類の量は、接触の前記工程（ａ）中における前記炭化水素流からの炭素数９以上の芳香族炭化水素類の少なくとも一部の水素化脱アルキル化により、前記炭化水素流中の炭素数９以上の芳香族炭化水素類の量より少ないことを特徴とする工程、を含む炭化水素流水素化処理方法。
【請求項１８】
プラスチック廃棄物を処理する方法であって、
（ａ）プラスチック廃棄物を炭化水素流に変換する工程であって、前記炭化水素流が、（ｉ）塩化物含有量が前記炭化水素流の合計重量を基準にして約１０ｐｐｍ以上になる量の一種または二種以上の塩化物化合物類；（ｉｉ）硫黄（Ｓ）含有量が前記炭化水素流の合計重量を基準として約０．０５重量％〜約５重量％になる量の一種または二種以上の硫化物化合物類；（ｉｉｉ）炭素数５〜８の炭化水素類；（ｉｖ）重質炭化水素分子；および、（ｖ）炭素数９以上の芳香族炭化水素類を含む工程；
（ｂ）前記炭化水素流の少なくとも一部を水素の存在下に水素化処理触媒と接触させて炭化水素生成物を得る工程；
（ｃ）処理された炭化水素流を前記炭化水素生成物から回収する工程であって、処理された炭化水素流が、塩化物含有量が前記処理された炭化水素流の合計重量を基準として約１０ｐｐｍ未満になる量の一種または二種以上の塩化物化合物類を含み、一種または二種以上の塩化物化合物類の減少は、接触する前記工程（ｂ）中における前記炭化水素流の脱塩化水素が原因であり、前記処理された炭化水素流が、重質炭化水素分子を含み、前記処理された炭化水素流中の重質炭化水素分子の量は、接触の前記工程（ｂ）中における前記炭化水素流からの重質炭化水素分子の少なくとも一部の水素化クラッキングにより、前記炭化水素流中の重質炭化水素分子の量より少なく、前記処理された炭化水素流が、炭素数９以上の芳香族炭化水素類を含み、前記処理された炭化水素流中の炭素数９以上の芳香族炭化水素類の量は、接触の前記工程（ｂ）中における前記炭化水素流からの炭素数９以上の芳香族炭化水素類の少なくとも一部の水素化脱アルキル化により、前記炭化水素流中の炭素数９以上の芳香族炭化水素類の量より少ない工程；ならびに、
（ｄ）前記処理された炭化水素流の少なくとも一部をスチームクラッカーに供給して、高価値生成物を生成する工程であって、前記処理された炭化水素流が、塩化物含有量、オレフィン含有量、沸点終点、および硫黄含有量についてのスチームクラッカー供給要求事項を満たし、前記高価値生成物が、エチレン、プロピレン、ブテン、ブタジエン、芳香族化合物類、またはそれらの組み合わせを含む工程、を含むことを特徴とするプラスチック廃棄物処理方法。
【請求項１９】
前記プラスチック廃棄物が、約４００重量ｐｐｍ以上のポリ塩化ビニルおよび／またはポリ塩化ビニリデンを含む請求項１８に記載の方法。
【請求項２０】
前記プラスチック廃棄物が、ポリオレフィン類、ポリスチレン類、ポリエチレンテレフタレート（ＰＥＴ）、ポリ塩化ビニル（ＰＶＣ）、ポリ塩化ビニリデン（ＰＶＤＣ）またはそれらの組み合わせを含む、請求項１８または１９に記載の方法。
【発明の詳細な説明】
【技術分野】
【０００１】
本開示は、脱塩素化、クラッキングおよび脱アルキル化を同時に含むプロセスを介する炭化水素流の処理に関する。
【背景技術】
【０００２】
廃プラスチックは、ポリ塩化ビニル（ＰＶＣ）および／またはポリ塩化ビニリデン（ＰＶＤＣ）を含むことがある。熱分解プロセスを通じて、廃プラスチックを気体および液体生成物に変換することができる。これらの液体生成物（たとえば、熱分解油）は、パラフィン類、イソパラフィン類、オレフィン類、ナフテン類、および芳香族類成分を、数百ｐｐｍの濃度の有機塩化物と一緒に含みうる。典型的には、熱分解油の沸点終点は、典型的なディーゼル留分沸点終点よりもはるかに高くなりうる。熱分解油をスチームクラッカーに供給するために、熱分解油供給原料を非常に低い塩素濃度を達成するように脱塩素化し、供給原料中のオレフィンを飽和させ、プロセス中においてありうる汚染および腐食を回避するのに充分に低い沸点終点を有することが必要である。さらに、スチームクラッカー用の供給原料中の炭素数９以上の芳香族炭化水素類が、供給原料中の単環芳香族化合物類を維持しながら、炭素数６〜８の芳香族炭化水素類（たとえば、ベンゼン、トルエン、キシレン類、エチルベンゼンなど）および／または飽和供給原料に変換されれば、好ましいであろう。すなわち、廃プラスチックから誘導された炭化水素供給原料を、特定のスチームクラッカー供給要件を満たすように処理する方法を開発することが継続的に必要とされている。
【先行技術文献】
【特許文献】
【０００３】
【特許文献１】米国特許第８８９５７９０号明細書
【特許文献２】米国特許出願第１５／０８５２７８号明細書
【特許文献３】米国特許出願第１５／０８５３１１号明細書
【特許文献４】米国特許出願第１５／０８５３７９号明細書
【特許文献５】米国特許出願第１５／０８５４０２号明細書
【特許文献６】米国特許出願第１５／０８５４４５号明細書
【発明の概要】
【０００４】
炭素数９以上の芳香族炭化水素類を含有する炭化水素流を水素の存在下に水素化処理触媒と接触させて炭化水素生成物を生成することを含んでなる、炭化水素流の水素化処理のためのプロセスおよびシステムが本明細書で開示される。このプロセスは、炭化水素生成物から、処理された炭化水素流を生成することを含むことができ、ここで、処理された炭化水素流は、炭化水素流における塩化物化合物類の量および炭素数９以上の芳香族炭化水素類の量と比較して、それぞれ、塩化物化合類物の量および炭素数９以上の芳香族炭化水素類の量が減少する。本明細書の開示の目的において、「量」という用語は、特に断りのない限り、特定の組成物の合計重量（たとえば、その特定の組成物中に存在する全成分の合計重量）に基づく、特定の組成物中の所定の成分の重量％を意味する。炭化水素流は、脱塩素化、脱アルキル化およびクラッキングを同時に受ける。
【図面の簡単な説明】
【０００５】
【図１】硫化された水素化処理触媒を用いて炭素数９以上の芳香族炭化水素類の水素化脱アルキル化と塩化物化合物類の脱塩素化とを同時に行う一方、さらに、重質炭化水素分子を水素化クラックし、炭化水素流に含まれるオレフィンを、スチームクラッカーへの導入に適したレベルに水素化する、水素化処理システムの説明図
【発明を実施するための形態】
【０００６】
炭化水素流の水素化処理のためのプロセスを、図１を参照してより詳細に説明する。図１は、水素化処理触媒（たとえば、硫化された水素化処理触媒）を用いて、炭素数９以上の芳香族炭化水素類を水素化脱アルキル化し、さらに、重質炭化水素分子を水素化クラックし、塩化物化合物類を脱塩素化し、炭化水素流１に含まれるオレフィン類を、スチームクラッカー３０への導入に適したレベルまで水素化する、水素化処理システム１００を示す。システム１００は、水素化処理反応器１０、分離器２０、任意の精製（ｐｏｌｉｓｈｉｎｇ）ユニット２５およびスチームクラッカー３０を含む。炭化水素流１は水素化処理反応器１０に供給され、反応生成物流出物が炭化水素生成物流２中において水素化処理反応器１０から分離器２０に流れる。分離器２０では、処理された生成物が炭化水素生成物流２から回収され、処理された炭化水素流４を介して分離器２０から流出し、一種または二種以上の硫黄含有ガスおよび／または塩素含有ガスが流３中において分離器２０から流出する。水素化処理システムのいくつかの構成では、第二の水素化処理反応器および第二の分離器を分離器２０と処理された炭化水素流４との間に配置することが考えられる。そのような構成において、分離器２０から流出する処理された生成物は、残留硫黄（Ｓ）を含むことがあり、第二の水素化処理反応器／第二の分離器の組み合わせ（たとえば、任意の精製ユニット２５）が、分離器２０から流出する処理された生成物を処理して、硫黄を完全に除去（たとえば、反応器１０と分離器２０からの流出物を精製）し、それにより、第二の分離器からの処理された炭化水素流４中における第二の処理された生成物が、処理された炭化水素流４の合計重量を基準に、２００、１００、９０、８０、７０、６０、５０、４０、３０、２０、１０、９、８、７、６、５、４、３、２、１、０．５、または０．１重量ｐｐｍ未満のＳを含むようになる。当業者により認識されるように、および本開示の助けを借りると、処理された炭化水素流４の含有量／組成は、処理された炭化水素流４を精製するために任意の精製ユニット２５が使用されるか使用されないかに依存する。炭化水素流４の組成は、本明細書において後でより詳細に説明される。
【０００７】
処理された炭化水素流４の処理された生成物が、直接（たとえば、処理された炭化水素流４の分離も分別も無しに）、または混合された炭化水素流４'（たとえば、処理された炭化水素流４および混合された炭化水素流４'の分離も分別も無しに）を介して、スチームクラッカー３０に流れ、そこから高価値生成物が生成物流６に流入する。処理された炭化水素流４は非塩素化炭化水素流５と混合されて、混合された炭化水素流４'を生成することができる。
【０００８】
炭化水素流１は、一般に、少なくとも一部が、炭素数９以上の芳香族炭化水素類である一種または二種以上の炭化水素類を含む。炭化水素流１は、さらに、一種または二種以上の硫化物類、一種または二種以上の塩化物化合物類、水素、またはそれらの組み合わせを含みうる。炭化水素流１は、通常は液相である。水素化処理反応器１０に入る前に、水素流を炭化水素流１に添加することができる。必要に応じて、水素化処理反応器１０内の多床配置の様々な触媒床の間に水素流をさらに添加して、反応器内の環境が水素に富むようにする。
【０００９】
炭化水素流１は、熱分解プロセスのような上流プロセスの生成物流（たとえば、プラスチック熱分解油）であってもよく、一種または二種以上の塩化物化合物類、および、場合によっては一種または二種以上の硫化物類を含み、それらは、たとえば廃プラスチックの熱分解からのものである。上流プロセスからの生成物流が、本明細書に開示された量で一種または二種以上の硫化物類を含有しない場合、炭化水素流１は、たとえばドーピング流７を介して、一種または二種以上の硫化物類をドープすることができる。
【００１０】
炭化水素流１は、プラスチック熱分解油であってよい。炭化水素流１は、本明細書に開示するように、パラフィン類、ｉ−パラフィン類、オレフィン類、ナフテン類、芳香族炭化水素類、塩化物化合物類、硫化物類、またはそれらの組み合わせ、のいずれかを含有する一種または二種以上の熱分解油であってよい。一種または二種以上の熱分解油は、廃プラスチックの熱分解から得ることができる（たとえば、米国特許第８８９５７９０号明細書（特許文献１）（その全体が参照として取り込まれる）に開示されるような高過酷度プロセスから、または、当該分野で知られており本明細書の開示の助けを借りる任意の低温過酷度熱分解プロセスから、得ることができる）。いくつかの態様では、プラスチック熱分解油の少なくとも一部は、炭素数９以上の芳香族炭化水素類と同様に重質炭化水素分子（たとえば、熱分解油の重質末端産物とも呼ばれる）を含むと考えられる。炭素数９以上の芳香族炭化水素類の少なくとも一部を水素化脱アルキル化して炭素数６〜８の芳香族炭化水素類を提供することに加え、スチームクラッカー３０の供給要件を満たすようにプラスチック熱分解油の重質末端産物を水素化クラッキングすることが考慮される。本明細書の開示の目的のために、「重質炭化水素分子」という用語は炭素数９以上の芳香族炭化水素類を排除する。
【００１１】
プラスチック廃棄物は、ポリオレフィン類、ポリスチレン類、ポリエチレンテレフタレート（ＰＥＴ）、ポリ塩化ビニル（ＰＶＣ）、ポリ塩化ビニリデン（ＰＶＤＣ）など、またはそれらの組み合わせを含みうる。１つの態様において、プラスチック廃棄物は、プラスチック廃棄物の合計重量を基準として、約４００重量ｐｐｍ、６００重量ｐｐｍ、８００重量ｐｐｍ、１，０００重量ｐｐｍ、またはそれ以上の、ＰＶＣおよび／またはＰＶＤＣを含んでいてよい。
【００１２】
炭化水素流１としては、接触ナフサ改質装置からの改質油流、タイヤ熱分解油、石油起源流、石油精製流、熱分解ガソリン、アルキル芳香族含有流、他の好適な塩化物含有炭化水素流、またはそれらの組み合わせを挙げることができる。いくつかの態様では、炭化水素流１は、重質油（たとえば、ドーピング流７を介したナフサまたはディーゼル油）と混合された一種または二種以上の熱分解油であってもよい。
【００１３】
炭化水素流１に含まれうる一種または二種以上の炭化水素の例には、パラフィン類（ｎ−パラフィン、ｉ−パラフィン、またはその両方）、オレフィン類、ナフテン類、芳香族炭化水素類、またはそれらの組み合わせが含まれる。一種または二種以上の炭化水素が、列挙された全ての炭化水素を含む場合、この炭化水素群は、ＰＯＮＡフィード（パラフィン、オレフィン、ナフテン、芳香族類）またはＰＩＯＮＡフィード（ｎ−パラフィン、ｉ−パラフィン、オレフィン、ナフテン、芳香類族）と総称することができる。
【００１４】
任意の芳香族炭化水素が、炭化水素流１に含まれうる。炭化水素流１は、炭素数９以上の芳香族炭化水素類、たとえば、炭素数が９、１０、１１、１２、１３、１４、１５、１６、１７、１８、１９、２０、２１、２２、２３、２４、２５、２６、２７、２８、２９、３０、およびそれよりも多い芳香族炭化水素類を含むことができる。１つの態様において、芳香族炭化水素類の炭素数は２２とすることができる。炭化水素流１の一部としての本開示での使用に適した炭素数９以上の芳香族炭化水素類の非限定的な例としては、プロピルベンゼン類、トリメチルベンゼン類、テトラメチルベンゼン類、ジメチルナフタレン、ビフェニルなど、またはそれらの組み合わせが挙げられる。炭素数９以上の芳香族炭化水素類は、炭化水素流１の合計重量を基準に、約１〜約９９重量％、あるいは約１０重量％〜約９０重量％、あるいは約２５重量％〜約７５重量％の量で、炭化水素流１中に存在してよい。炭化水素流１が水素化処理反応器１０中において水素化処理触媒と接触した場合、炭化水素流１中の炭素数９以上の芳香族炭化水素類の５重量％、１０重量％、１５重量％、２０重量％、２５重量％、３０重量％、またはそれ以上が水素化脱アルキル化される。
【００１５】
炭化水素流１は、さらに、ベンゼン、トルエン、キシレン類、エチルベンゼン、またはそれらの組み合わせのような、炭素数６〜８の芳香族炭化水素類を含みうる。炭素数６〜８の芳香族炭化水素類は、炭化水素流１の合計重量を基準として約１０重量％未満の量で炭化水素流１中に存在してよい。あるいは、炭素数６〜８の芳香族炭化水素類は、炭化水素流１の合計重量を基準として、１０重量％、２０重量％、３０重量％、４０重量％、またはそれ以上の量で炭化水素流１中に存在してよい。いくつかの態様において、炭化水素流１は炭素数６〜８の芳香族炭化水素類を含まず、たとえば、炭化水素流１は実質的に炭素数６〜８の芳香族炭化水素類を含まない。
【００１６】
任意のパラフィンが炭化水素流１に含まれうる。炭化水素流１に含まれうるパラフィン類の例には、炭素数１〜２２のｎ−パラフィン類およびｉ−パラフィン類が含まれるが、これらに限定されない。パラフィン類は、炭化水素流１の合計重量を基準として１０重量％未満の量で炭化水素流１中に存在してよい。あるいは、パラフィン類は、炭化水素流１の合計重量を基準として１０重量％、２０重量％、３０重量％、４０重量％、５０重量％、６０重量％、またはそれ以上の量で炭化水素流１中に存在してよい。特定の炭化水素流は炭素数２２までのパラフィン類を含むが、本開示はパラフィン類の好適な範囲の上限としての炭素数２２に限定されず、パラフィン類の炭素数は、たとえば、２３、２４、２５、２６、２７、２８、２９、３０、３１、３２、３３、３４、３５、３６、３７、３８、３９、４０、およびそれ以上であってよい。いくつかの態様において、炭化水素流１中のパラフィン類の少なくとも一部は、重質炭化水素分子（たとえば、水素化処理反応器１０において水素化クラッキングを受ける重質炭化水素分子）の少なくとも一部を含む。
【００１７】
任意のオレフィンが炭化水素流１に含まれていてもよい。炭化水素流１に含まれうるオレフィン類の例としては、炭素数２〜１０のオレフィン類およびそれらの組み合わせが挙げられるが、これらに限定されない。オレフィン類は、炭化水素流１の合計重量を基準として１０重量％未満の量で炭化水素流１中に存在してよい。あるいは、オレフィン類は、炭化水素流１の合計重量を基準として、１０重量％、２０重量％、３０重量％、４０重量％、またはそれ以上の量で炭化水素流１中に存在してよい。いくつかの態様において、炭化水素流１中の一種または二種以上のオレフィン類の少なくとも一部は記重質炭化水素分子（たとえば、水素化処理反応器１０において水素化クラッキングを受ける重質炭化水素分子）の少なくとも一部を含む。特定の炭化水素流には炭素数１０までのオレフィン類が含まれるが、本開示はオレフィン類の好適な範囲の上限として炭素数１０に限定されず、オレフィン類の炭素数は、たとえば、１１、１２、１３、１４、１５、１６、１７、１８、１９、２０、２１、２２、２３、２４、２５、２６、２７、２８、２９、３０、およびそれ以上であってよい。いくつかの態様では、炭化水素流１はオレフィン類を含まず、たとえば、炭化水素流１は実質的にオレフィン類を含まない。
【００１８】
任意のナフテンが炭化水素流１に含まれていてもよい。ナフテン類の例には、シクロペンタン、シクロヘキサン、シクロヘプタン、およびシクロオクタンが含まれるが、これらに限定されない。ナフテン類は、炭化水素流１の合計重量を基準として１０重量％未満の量で炭化水素流１中に存在してよい。あるいは、ナフテン類は、炭化水素流１の合計重量を基準として、１０重量％、２０重量％、３０重量％、４０重量％またはそれ以上の量で炭化水素流１中に存在してよい。特定の炭化水素流は、炭素数８までのナフテン類を含むが、本開示は、ナフテン類の適切な範囲の上限として炭素数８に限定されず、ナフテン類の炭素数は、たとえば、９、１０、１１、１２、１３、１４、１５、１６、１７、１８、１９、２０、２１、２２、２３、２４、２５、２６、２７、２８、２９、３０、およびそれ以上であってよい。いくつかの態様において、炭化水素流１中のナフテン類の少なくとも一部は、重質炭化水素分子（たとえば、水素化処理反応器１０において水素化クラッキングを受ける重質炭化水素分子）の少なくとも一部を含む。
【００１９】
本明細書で論じるように、本明細書に開示されるプロセスは、分子の、特に炭化水素流１の重質炭化水素分子の、水素化クラッキングを企図している。重質炭化水素分子は、炭化水素流１の合計重量を基準として１０重量％未満の量で炭化水素流１中に存在してよい。あるいは、重質炭化水素分子は、炭化水素流１の合計重量を基準として、１０重量％〜９０重量％の量で炭化水素流１中に存在してよい。上記のように、重質炭化水素分子は、パラフィン類、ｉ−パラフィン類、オレフィン類、ナフテン類、またはそれらの組み合わせを含みうる。いくつかの態様では、重質炭化水素分子は、炭素数１６以上の炭化水素を含むことができる。炭化水素流１が水素化処理反応器１０中において水素化処理触媒と接触すると、炭化水素流１中の重質炭化水素分子の５重量％、１０重量％、１５重量％、２０重量％、２５重量％、３０重量％、またはそれ以上が、水素化クラッキングされる。当業者によって理解されるように、炭素数９以上の芳香族炭化水素が水素化脱アルキル化反応を受けるが、一部の炭素数９以上の芳香族炭化水素は水素化クラッキングを受けることができる。たとえば、炭化水素流１が水素化処理反応器１０中において水素化処理触媒と接触すると、炭化水素流１中の炭素数９以上の芳香族炭化水素の１０重量％超が水素化クラッキングされる。
【００２０】
炭化水素流１に含まれうる塩化物化合物類には、塩素含有脂肪族炭化水類素、塩素含有芳香族炭化水素類、および他の塩素含有炭化水素類が含まれるが、これらに限定されない。塩素含有炭化水素類の例としては、１−クロロヘキサン（Ｃ６Ｈ１３Ｃｌ）、２−クロロペンタン（Ｃ５Ｈ１１Ｃｌ）、３−クロロ−３−メチルペンタン（Ｃ６Ｈ１３Ｃｌ）（２−クロロエチル）ベンゼン（Ｃ８Ｈ９Ｃｌ）、クロロベンゼン（Ｃ６Ｈ５Ｃｌ）、またはそれらの組み合わせが挙げられるが、これらに限定されない。塩化物化合物類は、炭化水素流１の合計重量を基準にして、５ｐｐｍ、６ｐｐｍ、７ｐｐｍ、８ｐｐｍ、９ｐｐｍ、１０ｐｐｍ、１５ｐｐｍ、２０ｐｐｍ、３０ｐｐｍ、４０ｐｐｍ、５０ｐｐｍ、１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１，０００ｐｐｍ、１，１００ｐｐｍ、１，２００ｐｐｍ、１，３００ｐｐｍ、１，４００ｐｐｍ、１，５００ｐｐｍ、１，６００ｐｐｍ、１，７００ｐｐｍ、１，８００ｐｐｍ、１，９００ｐｐｍ、２，０００ｐｐｍ、またはそれ以上の量で炭化水素流１中に存在してよい。
【００２１】
炭化水素流１を水素化処理反応器１０に導入する前に、一種または二種以上の塩化物化合物類を、たとえば、ドーピング流７を介して、炭化水素流１に添加することができる（たとえば、炭化水素流１に、一種または二種以上の塩化物類を「ドープ」する）。塩化物類の添加後に炭化水素流１の塩化物含有量が炭化水素流１の合計重量を基準として約５ｐｐｍ以上となるような量で、一種または二種以上の塩化物類を炭化水素流１に添加することができる。
【００２２】
炭化水素流１に含まれていてもよい硫化物化合物類または硫化物類としては、硫黄含有化合物類が挙げられる。たとえば、ジメチルジスルフィド（Ｃ２Ｈ６Ｓ２）、ジメチルスルフィド（Ｃ２Ｈ６Ｓ）、メルカプタン類（Ｒ−ＳＨ）、二硫化炭素（ＣＳ２）、硫化水素（Ｈ２Ｓ）、またはそれらの組み合わせなどの硫化剤を、炭化水素流１中の硫化物として使用することができる。
【００２３】
炭化水素流１が水素化処理反応器１０に導入される前に、たとえば、ドーピング流７を介して、一種または二種以上の硫化物類（たとえば、ジメチルジスルフィド（Ｃ２Ｈ６Ｓ２）、ジメチルスルフィド（Ｃ２Ｈ６Ｓ）、メルカプタン類（Ｒ−ＳＨ）、二硫化炭素（ＣＳ２）、硫化水素（Ｈ２Ｓ）、またはそれらの組み合わせ）を炭化水素流１に添加することができる（たとえば、炭化水素流１に一種または二種以上の硫化物類をドープする）。硫化物の添加後に、炭化水素流１の硫黄（Ｓ）含有量が、炭化水素流１の合計重量を基準に約０．０５重量％、０．１重量％、０．５重量％、１重量％、１．５重量％、２重量％、２．５重量％、３重量％、３．５重量％、４重量％、４．５重量％、５重量％、またはそれ以上となるような量で、一種または二種以上の硫化物類を炭化水素流１に添加することができる。ドーピング流７は、ヘキサデカンおよびジメチルジスルフィドなどのドーピングのために調整された成分をさらに含むことができる。あるいは、ドーピング流７は、硫化物化合物類を既に含有して（または硫化物類が本明細書に開示された硫黄含有量を達成するためにドープされて）おり先に記載の硫黄含有量を達成するように炭化水素流１と混合されている重質油（たとえば、ナフサ、ディーゼル、またはその両方）であってもよい。
【００２４】
あるいは、炭化水素流１がそこから流れてくる上流プロセスの結果として、一種または二種以上の硫化物類が炭化水素流１中に存在する。炭化水素流１は、炭化水素流１の硫黄含有量が、硫化物がドーピングされていない状態で、炭化水素流１の合計重量を基準として約０．０５重量％、０．１重量％、０．５重量％、１重量％、１．５重量％、２重量％、２．５重量％、３重量％、３．５重量％、４重量％、４．５重量％、５重量％、またはそれ以上となるような量で、一種または二種以上の硫化物類を含むことができる。
【００２５】
あるいは、炭化水素流１は、水素化処理反応器１０中に含まれる水素化処理触媒（触媒は本明細書で後でより詳しく説明する）を硫化するのに不十分な量（たとえば、５，０００、４，０００、３，０００、２，０００、１，０００、９００、８００、７００、６００、５００、４００、３００、２００、１００、９０、８０、７０、６０、５０、４０、３０、２０、１０、５または１ｐｐｍ未満）で一種または二種以上の硫化物類を含むことができ、炭化水素流１の硫黄含有量が、硫化物添加後に、炭化水素流１の合計重量を基準として、約０．０５重量％、０．１重量％、０．５重量％、１重量％、１．５重量％、２重量％、２．５重量％、３重量％、３．５重量％、４重量％、４．５重量％、５重量％またはそれ以上となるように炭化水素流中の一種または二種以上の硫化物類の量を増やすためにドーピング流７が利用される。
【００２６】
ドーピング流７を用いて硫化物を添加した後の、または、ドーピング流７を用いた硫化物添加を行っていない、炭化水素流１の硫黄含有量は、炭化水素流１の合計重量を基準として約３重量％までである。
【００２７】
炭化水素流１中に存在する硫黄は、スチームクラッカーおよび／または精製ユニットでのプロセスのために許容される低減された硫黄レベルを提供するように、水素化処理反応器１０の下流の流れ（たとえば、生成物流２）からＨ２Ｓとして除去することができる。
【００２８】
水素化処理反応器１０は、水素化処理反応器１０に供給された炭化水素流１の成分を、水素化脱アルキル化するように、一部の構成では、さらに、水素化クラッキング、脱塩素化、および水素化するように構成されている。水素化反応器１０において、炭化水素流１が水素の存在下に水素化処理触媒と接触されて、生成物流２中に炭化水素生成物を生成する。炭化水素流１を、上向き流、下向き流、半径流またはこれらの組合せで、炭化水素流１、ドーピング流７、水素流、またはこれらの組み合わせを段階的に添加して、または添加しないで、水素化処理触媒と接触させることができると考えられる。炭化水素流１の成分は、水素化処理反応器１０中に存在するときに、液相、液−気相、または気相でありうるとさらに考えられる。
【００２９】
水素化処理反応器１０は、水素の存在下または水素を用いた炭化水素流１の成分の適切な反応を促進することができる。水素化処理反応器１０中における反応は、炭素数９以上の芳香族炭化水素類の水素化脱アルキル化反応を含み、水素の存在下に炭素数９以上の芳香族炭化水素類がより低い分子量の芳香族炭化水素類（たとえば、炭素数６〜８の芳香族炭化水素類）およびアルカン類を形成する。たとえば、トリメチルベンゼン類は、水素化脱アルキル化反応を受けてキシレン類およびメタンを生成しうる。不飽和分子（たとえば、オレフィン類、芳香族化合物類）の二重結合への水素原子の付加により飽和分子（たとえば、パラフィン類、ｉ−パラフィン類、ナフテン類）を生じるような他の反応が、水素化処理反応器１０内で起こりうる。さらに、水素化処理反応器１０内での反応は、有機化合物の結合の崩壊を引き起こし、２つ以上のより小さい炭化水素分子への炭化水素分子の「クラッキング」を生じさせ、またはその後の反応および／またはヘテロ原子の水素による置換を生じさせる。水素化処理反応器１０内で起こりうる反応の例としては、炭素数９以上の芳香族炭化水素類の水素化脱アルキル化、オレフィン類の水素化、ヘテロ原子含有炭化水素類からのヘテロ原子の除去（たとえば、脱塩素化）、大きなパラフィ類ンまたはｉ−パラフィン類からより小さな炭化水素分子類への水素化クラッキング、芳香族炭化水素類からより小さな環式または非環式炭化水素類への水素化クラッキング、一種または二種以上の芳香族化合物類から一種または二種以上のシクロパラフィン類への変換、一種または二種以上のノーマルパラフィン類から一種または二種以上のｉ−パラフィン類への異性化、一種または二種以上のシクロパラフィン類の一種または二種以上のｉ−パラフィン類への選択的開環、またはそれらの組み合わせが挙げられるが、これらに限定はされない。
【００３０】
水素化処理反応器１０は、本明細書に開示される水素化処理触媒を含むように構成された任意の容器であってもよい。容器は、気相、液相、気−液相、またはスラリー相の操作のために構成することができる。水素化処理反応器１０は、固定床、流動床、移動床、沸騰床、スラリー床、またはそれらの組み合わせにおける水素化処理触媒の一種または二種以上の床を含むことができる。水素化処理反応器１０は、断熱的、等温的、非断熱的、非等温的、またはそれらの組み合わせで操作することができる。本開示の反応は、単一段階で、または複数段階で行うことができる。たとえば、水素化処理反応器１０は、直列に流体接続された２つの反応容器とすることができ、それぞれが一種または二種以上の水素化処理触媒の触媒床を有する。あるいは、水素化処理のための２つ以上の段階を単一の反応器容器に含めることができる。複数の段階が使用される場合、第一段階は、炭化水素流１の成分を水素化脱アルキル化、クラック、脱塩素、および水素化して、第一レベルの炭素数９以上の芳香族炭化水素類、塩化物化合物類、およびオレフィン類を有する第一の炭化水素生成物を生成することができる。第一の炭化水素生成物は第一の段階から第二の段階へ流れることができ、そこで、第一の炭化水素生成物の他の成分が水素化脱アルキル化、クラック、脱塩素、および水素化されて、第二レベルの炭素数９以上の芳香族炭化水素類、塩化物化合物類、およびオレフィン類を有する第二の炭化水素生成物流（図１における生成物流２）を生成することができる。次いで、第二の炭化水素流を、本明細書に記載の生成物流２として取り扱うことができる。
【００３１】
水素化処理反応器１０は、一種または二種以上の容器を含むことができる。本開示での使用に適した水処理プロセスおよび反応器は、米国特許出願第１５／０８５２７８号明細書（特許文献２）、米国特許出願第１５／０８５３１１号明細書（特許文献３）、米国特許出願第１５／０８５３７９号明細書（特許文献４）、米国特許出願第１５／０８５４０２号明細書（特許文献５）、および米国特許出願第１５／０８５４４５号明細書（特許文献６）により詳しく記載されており、これらの各々が、参照によりその全体が本明細書に組み込まれる。
【００３２】
水素は、水素流８において水素化処理反応器１０に供給することができる。水素化処理反応器１０への水素添加速度は、一般に、本明細書に開示される水素対炭化水素比を達成するのに十分である。
【００３３】
開示された水素化処理反応器１０は、様々なプロセス条件で操作することができる。たとえば、炭化水素流１を水素の存在下に水素化処理触媒と接触させることは、水素化処理反応器１０において、１００℃〜５５０℃の温度、あるいは、１００℃〜４００℃、あるいは、２６０℃〜３５０℃で起こりうる。炭化水素流１を水素の存在下に水素化処理触媒と接触させることは、水素化処理反応器１０において、０．１／時〜１０／時、あるいは１／時〜３／時の重量空間速度（ＷＨＳＶ）で起こりうる。炭化水素流１を水素の存在下に水素化処理触媒と接触させることは、水素化処理反応器１０において、１０〜３，０００ＮＬ／Ｌ、あるいは２００〜８００ＮＬ／Ｌの水素対炭化水素（Ｈ２／ＨＣ）流量比で起こりうる。
【００３４】
炭化水素流１を水素の存在下に水素化処理触媒と接触させることは、水素化処理反応器１０において、１バール（ｂａｒａ：絶対圧）〜２００バール（ｂａｒｇ：ゲージ圧）、あるいは、１ｂａｒａ〜６０ｂａｒｇ、あるいは、１０ｂａｒｇ〜４５ｂａｒｇの圧力で起こりうる。理論によって制限されることを望むものではないが、より低い圧力およびより高い温度では、水化クラッキングに比べて水素化脱アルキル化が好ましい。
【００３５】
本明細書に記載されるような水素化処理触媒を用いる脱塩素化は、塩素吸着剤を使用することなく、脱塩剤として機能するのに有効な量でＮａ２ＣＯ３を添加することなく、またはその両者の条件で、水素化処理反応器１０において行われることが企図される。
【００３６】
水素化処理触媒は、オレフィン類および芳香族炭化水素類の水素化（たとえば、飽和）に使用される任意の触媒（たとえば、市販の水素化処理触媒）であってよい。本開示における使用に適した水素化処理触媒の非限定的な例としては、
アルミナ担体上のコバルトおよびモリブデン、アルミナ担体上のニッケルおよびモリブデン、アルミナ担体上のタングステンおよびモリブデン、アルミナ担体上の白金およびパラジウム、硫化ニッケル類、アルミナ担体上の硫化ニッケル類、硫化モリブデン類、アルミナ担体上の硫化モリブデン類、硫化ニッケルおよび硫化モリブデン、アルミナ担体上の硫化ニッケルおよび硫化モリブデン、コバルトおよびモリブデンの酸化物、アルミナ担体上のコバルトおよびモリブデンの酸化物など、またはそれらの組み合わせが挙げられる。当業者には理解されるように、またこの開示の助けを借りて、担持されていない触媒を、たとえば、スラリー水素処理反応器において使用することもできる。
【００３７】
炭化水素流１が一種または二種以上の硫化物類と一種または二種以上の塩化物化合物類とを含む構成では、炭化水素流１を水素化処理触媒と接触させることは、硫化により水素化処理触媒を活性化させ、塩素化により水素化処理触媒を酸性化するように作用する。一種または二種以上の硫化物類、一種または二種以上の塩化物化合物類、またはその両方を含む炭化水素流１に水素化処理触媒を連続的に接触させることは、触媒活性を連続的に維持することができる。本明細書の開示の目的のために、水素化処理触媒に関する用語「触媒活性」または「触媒活性」は、水素化脱アルキル化反応、水素化クラッキング反応、水素化脱塩素反応などのような水素化処理反応を触媒する水素化処理触媒の性能に言及する。
【００３８】
水素化処理触媒は、硫化物類および／または塩化物類を含む流れ（たとえば、炭化水素流１、ドーピング流７、触媒活性化流９など）に水素化処理触媒を接触させることにより、その場で（ｉｎ  ｓｉｔｕ）および／またはその場以外の場所で（ｅｘ  ｓｉｔｕ）活性化することができ、ここで、水素化処理触媒は、脱塩化水素、水素化クラッキング、および水素化脱アルキル化を同時に行うために活性化される。
【００３９】
１つの態様において、水素化処理触媒をその場で硫化することにより、水素化処理触媒が活性化され、および／または、活性が維持される。たとえば、一種または二種以上の硫化物類を含む炭化水素流１を水素化処理触媒に連続的に接触させることにより、水素化処理触媒を硫化する（すなわち、活性化する）ことができ、および／または、水素化処理触媒の硫化（すなわち、触媒活性を維持する）を行うことができる（たとえば、水素化処理触媒を硫化状態に維持することが達成される）。
【００４０】
あるいは、（炭化水素流１を水素化処理触媒に接触させる前に）水素化処理触媒を活性化するのに充分な時間（たとえば、１時間、２時間、３時間、４時間、５時間、６時間、７時間、８時間、９時間、またはそれ以上の時間）、一種または二種以上の硫化物類を含む触媒活性化流９を水素化処理触媒に接触させることにより、水素化処理触媒を硫化（すなわち、活性化）することができる。触媒活性化流９は、一種または二種以上の硫化物類のための炭化水素キャリア、たとえば、ヘキサデカンを含むことができる。一種または二種以上の硫化物類は、触媒活性化流９の硫黄含有量が、触媒活性化流９の合計重量を基準として約０．０５重量％、０．１重量％、０．５重量％、１重量％、１．５重量％、２重量％、２．５重量％、３重量％、３．５重量％、４重量％、４．５重量％、５重量％、またはそれ以上となるような量で、触媒活性化流９に含まれうる。触媒活性化流９の硫黄含有量は、触媒活性化流９の合計重量を基準として約３重量％まででありうる。水素化処理触媒を、その場でおよび／またはその場以外の場所で触媒活性化流９と接触させることができる。
【００４１】
水素化処理触媒をその場で活性化する場合、水素化処理触媒を触媒活性化流９で活性化した後、触媒活性化流９の流通が中断されてもよく、一種または二種以上の硫化物類を含む炭化水素流１を水素化処理触媒に連続的に接触させることにより、水素化処理触媒の硫化（すなわち、触媒活性の維持）を維持することができる（たとえば、水素化処理触媒を硫化された状態に維持することが達成される）。
【００４２】
触媒活性は、水素化処理触媒を塩素化することによっても維持される。水素化処理触媒は、炭化水素流１により水素化処理触媒に提供された一種または二種以上の塩化物化合物類を用いて塩化される。水素化処理触媒の酸性化に貢献する一種または二種以上の塩化物化合物類を、本明細書に開示の量で炭化水素流１に含むことができる。炭化水素流が塩化物を含まない場合、一種または二種以上の塩化物類を、炭化水素流１の合計重量を基準として約５ｐｐｍ塩化物以上の量で炭化水素流１に添加することができる。
【００４３】
水素化処理反応器１０中における水素化脱アルキル化反応により、炭化水素生成物流２中の炭素数９以上の芳香族炭化水素類の量は、炭化水素流１中の炭素数９以上の芳香族炭化水素類の量よりも、炭化水素流１中の炭素数９以上の芳香族炭化水素類の合計重量を基準として約５％〜約９５％少ない。当業者によって理解されるように、および本開示の助けを借りると、炭化水素流１と炭化水素生成物流２との間の炭素数９以上の芳香族炭化水素類の量の減少は、水素化処理反応器１０中において炭素数９以上の芳香族炭化水素類が関与する水素化脱アルキル化反応に加えて、水素化処理反応器１０中において炭素数９以上の芳香族炭化水素類が関与する水素化反応のみならず、水素化クラッキング反応も原因である。
【００４４】
さらに、炭化水素生成物流２は、炭化水素流１中の炭素数６〜８の芳香族炭化水素類の量よりも多い量の炭素数６〜８の芳香族炭化水素類を含むことができる。当業者によって理解されるように、および本開示の助けを借りると、炭化水素流１と炭化水素生成物流２との間の炭素数６〜８の芳香族炭化水素類の量の増加は、炭化水素流１の芳香族含有量に依存する。
【００４５】
炭化水素生成物流２中の芳香族炭化水素類の合計量は、水素化処理反応器１０中の芳香族炭化水素類の少なくとも一部の水素化および／または水素化クラッキングにより、炭化水素流１中の芳香族炭化水素類の合計量より少ないと考えられるが、炭素数９以上の芳香族炭化水素類の少なくとも一部は、水素化脱アルキル化されて炭素数６〜８の芳香族炭化水素類を生成する。当業者によって理解されるように、および本開示の助けを借りると、炭素数６〜８の芳香族炭化水素類は水素化脱アルキル化反応により生成されるが、水素化処理反応器１０中に存在する炭素数６〜８の芳香族炭化水素類の一部は（水素化脱アルキル化により生成されていても、炭化水素流１を介して導入されていても）、水素化および／または水素化クラッキングを受けることになる。
【００４６】
さらに、水素化処理反応器１０中における水素化反応が原因で、炭化水素生成物流２は、炭化水素生成物流２の合計重量を基準として１重量％未満の量で一種または二種以上のオレフィン類を含有することができる。
【００４７】
反応生成物は、炭化水素生成物流２中において水素化処理反応器１０から流出物として分離器２０に流れる。分離器２０は、炭化水素生成物２から処理された炭化水素流４を回収することができる任意の適切な容器でありうるが、処理された炭化水素流４の少なくとも一部は、分離器２０に供給される。処理された炭化水素流４は、分離器２０中において硫黄および塩素含有ガス（たとえば、塩化物および硫黄流３）から処理された生成物（たとえば、液体生成物または気体生成物）を分離し、処理された炭化水素流４中の処理された生成物を分離器２０から流すことにより回収することができる。
【００４８】
いくつかの構成では、分離器２０は、硫黄および塩素含有化合物類を気相に残したまま、炭化水素生成物流２の一部を処理された生成物（たとえば、液体生成物または処理された液体生成物）に凝縮する条件で操作される凝縮器とすることができる。処理された液体生成物は、処理された炭化水素流４中において分離器２０から流出し、硫黄および塩素含有ガスは、塩化物および硫黄流３を介して分離器２０から流出する。
【００４９】
他の構成では、分離器２０は、苛性溶液（たとえば、水中の水酸化ナトリウムの溶液）を含むスクラビングユニットとすることができ、これは、（たとえば、反応、吸着、吸収、またはそれらの組み合わせによって）硫黄および塩素含有ガスを炭化水素生成物流２から除去して、処理された生成物（たとえば、気体生成物または処理された気体生成物）を生成し、これは処理された炭化水素流４を介して分離器２０から流出し、一方、気相中の硫黄および塩素含有化合物類は、塩化物および硫黄流３を介して分離器２０から流出する。
【００５０】
さらに他の構成では、分離器２０は、苛性溶液を含むスクラビングユニットと連通した凝縮器とすることができる。上述したように、凝縮器は、硫黄および塩素含有化合物類を気相中に残しながら、炭化水素生成物流２の一部を中間の処理された生成物（たとえば、液体生成物または処理された液体生成物）に凝結させる条件下で動作することができる。中間の処理された液体生成物は、凝縮器から流出し、（たとえば、本開示の助けを借りて、当技術分野で知られている弁または他の減圧装置を介して）減圧を受け、これにより流出ガスが作られ、流出ガスは、硫黄および塩素含有化合物類を含む先に分離された気相と共にスクラビングユニットに流れ、処理された炭化水素流４に流入する処理された生成物を残す。硫黄および塩素含有化合物類は、塩化物および硫黄流３において分離器２０から流出する。
【００５１】
さらに別の構成では、分離器２０は、前述のように苛性溶液を含む凝縮器および／またはスクラビングユニットとすることができ、そこで、中間の処理された生成物流は、処理された炭化水素流４について前述したように分離器２０中の硫黄および塩素含有ガス（たとえば、塩化物および硫黄流３）から中間の処理生成物（たとえば、液体生成物または気体生成物）を分離することにより、および分離器２０から、中間の処理された炭化水素流中の中間の処理された生成物を流すことにより、回収することができる。中間の処理された炭化水素流は、分離器２０から蒸留塔に流れて、約３７０℃未満の沸点終点を特徴とする処理された炭化水素流、および約３７０℃以上の沸点終点を特徴とする重質の処理された炭化水素流を生成することができる。そのような構成において、約３７０℃未満の沸点終点を特徴とする処理された炭化水素流の少なくとも一部を、本明細書で後でより詳しく説明される、スチームクラッカー３０のようなスチームクラッカーに供給することができる。重質の処理された炭化水素流の少なくとも一部は、たとえば炭化水素流１を介して水素化処理反応器１０に再循環させることができる。当業者によって理解されるように、および本開示の助けを借りると、ハロゲン化物を含まない化合物類が水素処理反応器１０に再循環されるか、または（脱ハロゲン化水素効率に応じて）微量のハロゲン化物化合物類のみが水素化処理反応器１０に再循環されるが、そのような化合物類は分離器２０において除去されるからである。
【００５２】
スチームクラッカー３０に供給される処理された炭化水素流４は、塩化物含有量、硫黄含有量、オレフィン含有量および沸点終点についてのスチームクラッカー供給要件を満たす。本明細書で前述したように、処理された炭化水素流４の組成は、任意の精製ユニット２５が使用されるか否かに応じて変化し得る。
【００５３】
処理された炭化水素流４は、処理された炭化水素流４の合計重量を基準として１５ｐｐｍ、１４ｐｐｍ、１３ｐｐｍ、１２ｐｐｍ、１１ｐｐｍ、１０ｐｐｍ、９ｐｐｍ、８ｐｐｍ、７ｐｐｍ、６ｐｐｍ、５ｐｐｍ、４ｐｐｍ、３ｐｐｍ、２ｐｐｍ、１ｐｐｍ、または０．５ｐｐｍ未満の量で一種または二種以上の塩化物化合物類を含むことができる。処理された炭化水素流４中の一種または二種以上の塩化物化合物類は、炭化水素流１中の一種または二種以上の塩化物化合物類の一部または全てと同じであると考えられる、あるいは、処理された炭化水素流４中の一種または二種以上の塩化物化合物類の一部のみが、炭化水素流１中の一種または二種以上の塩化物化合物類の一部のみと同じであると考えられる、あるいは、処理された炭化水素流４中の一種または二種以上の塩化物化合物類のいずれも、炭化水素流１中の一種または二種以上の塩化物化合物類と同じではないと考えられる。理論によって限定されるものではないが、炭化水素流１中の一種または二種以上の塩化物化合物類の少なくとも一部が、炭化水素流１中の一種または二種以上の塩化物化合物類とは異なる処理された炭化水素流４中の一種または二種以上の塩化物化合物類を導く反応（たとえば、脱塩化水素反応）に関与することができる。
【００５４】
当業者によって理解されるように、および本開示の助けを借りると、塩化物および硫化物の除去により処理された炭化水素流４が得られる場合、塩化物類および硫化物類以外の個々の成分の重量濃度（％）は低い程度に変更され、塩化物類および硫化物類以外の個々の成分の重量濃度（％）は、炭化水素生成物流２におけるよりも処理された炭化水素流４において僅かに高い（たとえば、約１％大きい）。さらに、当業者によって理解されるように、および本開示の助けを借りると、処理された炭化水素流４中におけるオレフィン類および炭素数９以上の芳香族炭化水素類のような成分の重量濃度（％）は、水素化処理反応器１０中における水素化および水素化脱アルキル化反応が原因で、炭化水素流１中における成分（たとえば、それぞれ、オレフィン類および炭素数９以上の芳香族炭化水素類）の対応する重量濃度（％）より小さい。さらに、当業者によって理解されるように、および本開示の助けを借りると、処理された炭化水素流４中におけるパラフィン類および炭素数６〜８の芳香族炭化水素類のような成分の重量濃度（％）は、炭化水素生成物流２からの成分の分離および水素化処理反応器１０中における水素化クラッキングおよび水素化脱アルキル化反応の両方が原因で、炭化水素流１中における成分（たとえば、それぞれ、パラフィン類および炭素数６〜８の芳香族炭化水素類）の対応する重量濃度（％）よりも大きい。
【００５５】
当業者によって理解されるように、および本開示の助けを借りると、約３７０℃以上の沸点終点を有する重質の処理された炭化水素流の分離のみならず塩化物および硫化物の除去によって処理された炭化水素流４が得られる場合、塩化物類および硫化物類以外の個々の成分の重量濃度（％）はかなりの程度に変えることができ、塩化物類、硫化物類、および約３７０℃以上の沸点を有する分子以外の個々の成分の重量濃度（％）は、炭化水素生成物流２中におけるよりも処理された炭化水素流４中において大きい（たとえば、約５％以上高い）。さらに、当業者によって理解されるように、および本開示の助けを借りると、処理された炭化水素流４中におけるオレフィン類および炭素数９以上の芳香族炭化水素類のような成分の重量濃度（％）は、炭化水素生成物流２からの約３７０℃以上の沸点終点を有する炭素数９以上の芳香族炭化水素類の分離および除去のみならず水素化処理反応器１０中における水素化および水素化脱アルキル化反応が原因で、炭化水素流１中における成分（たとえば、それぞれ、オレフィン類および炭素数９以上の芳香族炭化水素類）の対応する重量濃度（％）より小さい。さらに、当業者によって理解されるように、および本開示の助けを借りると、処理された炭化水素流４中における約３７０℃未満の沸点を有するパラフィン類および炭素数６〜８の芳香族炭化水素類のような成分の重量濃度（％）は、炭化水素生成物流２からの成分の分離および水素化処理反応器１０中における水素化クラッキングおよび水素化脱アルキル化反応の両方が原因で、炭化水素流１中における成分（たとえば、それぞれ、約３７０℃未満の沸点を有するパラフィン類および炭素数６〜８の芳香族炭化水素類）の対応する重量濃度（％）より大きい。
【００５６】
処理された炭化水素流４は、炭化水素流１からの一種または二種以上のオレフィン類の少なくとも一部が水素化される一方、炭化水素流１が水素化処理反応器１０中において水素化処理触媒と接触することが原因で、炭化水素流１中の一種または二種以上のオレフィン類の量より少ない量で一種または二種以上のオレフィン類を含むことができる。さらに、処理された炭化水素流４は、炭化水素流１からの一種または二種以上のオレフィン類の少なくとも一部が水素化および水素化クラッキングされる一方、炭化水素流１が水素化処理反応器１０中において水素化処理触媒と接触することが原因で、炭化水素流１中の一種または二種以上のオレフィン類の量よりも少ない量で一種または二種以上のオレフィン類を含む。一種または二種以上のオレフィン類が、処理された炭化水素流４の合計重量を基準として１重量％未満の量で、処理された炭化水素流４中に存在してよい。
【００５７】
処理された炭化水素流４は、炭化水素流１からの炭素数９以上の芳香族炭化水素類の少なくとも一部が水素化脱アルキル化される一方、炭化水素流１が水素化処理反応器１０中において水素化処理触媒と接触されることが原因で、炭化水素流１中の炭素数９以上の芳香族炭化水素類の量よりも少ない量で炭素数９以上の芳香族炭化水素類を含むことができる。炭素数９以上の芳香族炭化水素類の量の減少は、さらに、炭化水素生成物流２からの約３７０℃以上の沸点終点を有する炭素数９以上の芳香族炭化水素類の分離および除去が原因でありうる。
【００５８】
処理された炭化水素流４は炭素数６〜８の芳香族炭化水素類を含むことができ、処理された炭化水素流４中における炭素数６〜８の芳香族炭化水素類の量は、水素化処理反応器１０中における炭化水素流１からの炭素数９以上の芳香族炭化水素類の少なくとも一部の水素化脱アルキル化が原因で、炭化水素流１中における炭素数６〜８の芳香族炭化水素類の量より多い。いくつかの態様では、処理された炭化水素流４中における炭素数６〜８の芳香族炭化水素類の量は、炭化水素流１中における炭素数６〜８の芳香族炭化水素類の量と比較すると、少なくとも１重量％、２重量％、３重量％、４重量％、５重量％またはそれ以上増加しており、炭素数６〜８の芳香族炭化水素類の量の増加は、（ｉ）水素化処理反応器１中における炭化水素流１からの炭素数９以上の芳香族炭化水素類の少なくとも一部の水素化脱アルキル化、および／または、（ｉｉ）ｎ−パラフィン（たとえば、ヘキサデカン）のような飽和化合物類の水素化クラッキング、が原因である。
【００５９】
処理された炭化水素流４中における芳香族炭化水素類の合計量は、水素化処理反応器１０中における芳香族炭化水素類の少なくとも一部の水素化および／または水素化クラッキングが原因で、炭化水素流１中における芳香族炭化水素類の合計量よりも少ないと考えられるが、炭素数９以上の芳香族炭化水素類の少なくとも一部が水素化脱アルキル化されて炭素数６〜８の芳香族炭化水素類が生成される。たとえば、処理された炭化水素流４の合計重量を基準として約５０重量％未満の量で、芳香族炭化水素類が処理された炭化水素流４中に存在してよい。
【００６０】
炭化水素流１が水素化処理反応器１０中において水素化処理触媒と接触するときの重質炭化水素分子の水素化クラッキングが原因で、処理された炭化水素流４は、３７０℃以下の沸点終点を有しうる。炭化水素流１と比較して、３７０℃超で沸騰する炭化水素の著しい減少が生成物流２において得られ、それにより、３７０℃以下の沸点終点を有する処理された炭化水素流４が回収される。
【００６１】
処理された炭化水素流４が１０ｐｐｍ未満の量で一種または二種以上の塩化物化合物類を含む場合、処理された炭化水素流４はスチームクラッカー３０に直接供給することができる。処理された炭化水素流４が１０ｐｐｍ以上（たとえば、１０ｐｐｍ〜１５ｐｐｍ）の量で一種または二種以上の塩化物化合物類を含む別の構成において、処理された炭化水素流４が、非塩素化炭化水素流５と混合されて、混合炭化水素流４'の合計重量を基準として１０ｐｐｍ未満の一種または二種以上の塩化物類の量を有する混合炭化水素流４'（別の構成を示す破線で表される流４'および５）を生成する。混合された炭化水素流４'を、スチームクラッカー３０に供給することができる。当業者によって理解されるように、および本開示の助けを借りると、非塩素化炭化水素流５が、処理された炭化水素流４の塩化物含有量を希釈し、それにより、塩化物含有量についてのスチームクラッカー供給要件を満たす混合炭化水素流４’が得られる。非塩素化炭化水素流５は、一般に、パラフィン類、イソパラフィン類、ナフテン類、および芳香族化合物類を含みうる。非塩素化炭化水素流５は、塩化物およびオレフィン類を実質的に含まない。
【００６２】
非塩素化炭化水素流５として用いられる典型的な非塩素化炭化水素流は、任意の適切なナフサおよびガス凝縮スチームクラッカー供給原料でありうる。たとえば、スチームクラッカー供給原料として使用することができる典型的な広範囲ナフサ供給原料は、Ｐ：３５．９体積％／Ｉ：３６体積％／Ｏ：０．５体積％／Ｎ：２２．１体積％／Ａ：５．５体積％のＰ／Ｉ／Ｏ／Ｎ／Ａ組成を有しており、米国石油協会（ＡＰＩ）比重が７０．４であり、硫黄含有量が１６１ｐｐｍであり、初期沸点（ＩＢＰ）が３５℃であり、最終沸点（ＦＢＰ）が１８３℃であるＰＩＯＮＡ供給原料でありうる。一般に、ＡＰＩ比重は、石油液体が水と比べてどれだけ重いか軽いかの尺度である。
【００６３】
別の例として、非塩素化炭化水素流５として用いられる典型的な非塩素化炭化水素流は、典型的にはＡＰＩ比重が３７．４であり、ＩＢＰ／９５％沸点／ＦＢＰが２１６．１℃／３６１．７℃／３７８．９℃であり、硫黄含有量が２５０〜４００ｐｐｍである大気圧ガス油でありうる。
【００６４】
スチームクラッカー３０は、一般的に供給仕様要件を有する。第一に、スチームクラッカー３０は、スチームクラッカー３０への供給原料中の塩化物化合物類の量が１０ｐｐｍ未満であることを必要とする。第二に、スチームクラッカー３０は、スチームクラッカー３０に供給される流れ中のオレフィン類の量が１重量％未満であることを必要とする。第三に、スチームクラッカー３０は、スチームクラッカー３０に供給される流れの沸点終点を３７０℃にする必要がある。スチームクラッカー３０は、蒸気の存在下に処理された炭化水素流４または混合炭化水素流４'中において分子を分解するまたは成分の炭素−炭素結合を高温で解離させて、エチレン、プロピレン、ブテン、ブタジエン、芳香族化合物類、またはそれらの組み合わせのような高価値生成物を生成する。高価値生成物は、生成物流６を介してスチームクラッカー３０から流出することができる。
【００６５】
本明細書に開示の炭化水素流の脱塩化水素、水素化クラッキングおよび水素化脱アルキル化を同時に行うことを含む、炭化水素流を水素化処理する方法は、
（ａ）塩化物類および硫化物類を含む炭化水素流を、水素の存在下に、アルミナ担体上のコバルトおよびモリブデン触媒（Ｃｏ−Ｍｏ触媒）を含む水素化処理触媒と接触させて炭化水素生成物を生成する工程を含むことができ；炭化水素流は、（ｉ）塩化物含有量が炭化水素流の合計重量を基準にして約１０ｐｐｍ以上になる量の一種または二種以上の塩化物化合物類、（ｉｉ）硫黄（Ｓ）含有量が炭化水素流の合計重量を基準として約０．０５重量％〜約５重量％になる量の一種または二種以上の硫化物化合物類、（ｉｉｉ）炭素数５〜８の炭化水素類、（ｉｖ）炭素数９以上の非芳香族化合物類を含む重質炭化水素分子、および（ｖ）炭素数９以上の芳香族化合物類を含む炭素数９以上の芳香族炭化水素類を含み、および、
（ｂ）炭化水素生成物から処理された炭化水素流を回収する工程を含むことができ；処理された炭化水素流は、塩化物含有量が処理された炭化水素流の合計重量を基準として約１０ｐｐｍ未満になる量の一種または二種以上の塩化物化合物類を含み、一種または二種以上の塩化物化合物類の減少は、接触工程（ａ）中における炭化水素流の脱塩化水素が原因であり；処理された炭化水素流は重質炭化水素分子を含み、処理された炭化水素流中の重質炭化水素分子の量は、接触工程（ａ）中における炭化水素流からの重質炭化水素分子の少なくとも一部分の水素化クラッキングが原因で、炭化水素流中の重質炭化水素分子の量よりも少なく；処理された炭化水素流は炭素数９以上の芳香族炭化水素類を含み、処理された炭化水素流中の炭素数９以上の芳香族炭化水素類の量は、接触工程（ａ）中における炭化水素流からの炭素数９以上の芳香族炭化水素類の少なくとも一部の水素化脱アルキル化および／または水素化クラッキングが原因で、炭化水素流中の炭素数９以上の芳香族炭化水素類の量よりも少なく、処理された炭化水素流中における炭素数６〜８の芳香族炭化水素類の量は、接触工程（ａ）中における炭化水素流からの炭素数９以上の芳香族炭化水素類の少なくとも一部の水素化脱アルキル化および／または重質炭化水素分子の少なくとも一部の水素化クラッキングが原因で、炭化水素流中の炭素数６〜８の芳香族炭化水素類の量よりも多い。水素化処理触媒は、水素化処理触媒を硫化物類および塩化物類を含む流れと接触させることにより脱塩化水素、水素化クラッキング、および水素化脱アルキル化を同時に行うために、その場でおよび／またはその場以外の場所で活性化される。Ｃｏ−Ｍｏ触媒は、触媒を硫化することにより、たとえば、触媒を、ストレートランと、または、硫化物化合物類がドープされたクラックされていない炭化水素流と、接触させることにより活性化することができる。Ｃｏ−Ｍｏ触媒は、塩化によって、たとえば、触媒を、塩化物化合物類および硫化物化合物類を含む供給原料（たとえば、図１の炭化水素流１のような炭化水素流）と接触させることにより活性化することもできる。塩素化による活性化のために使用される供給原料は、ストレートラン供給原料、クラッキングされた供給原料、および／または塩化物類含有供給原料、たとえば、プラスチック熱分解油でありうる。供給原料が塩化物類を含まない態様では、供給原料に塩化物化合物類を添加して活性化供給原料として使用することができる。
【００６６】
プラスチックス廃棄物を処理する方法は、
（ａ）プラスチックス廃棄物を炭化水素流に変換する工程を含むことができ；プラスチックス廃棄物は、ポリオレフィン類、ポリスチレン類、ＰＥＴ、ＰＶＣ、ＰＶＤＣなど、またはそれらの組み合わせを含み、炭化水素流は、（ｉ）塩化物含有量が炭化水素流の合計重量を基準にして約１０ｐｐｍ以上になる量の一種または二種以上の塩化物化合物類、（ｉｉ）硫黄（ｓ）含有量が炭化水素流の合計重量を基準として約０．０５重量％〜約５重量％になる量の一種または二種以上の硫化物化合物類、（ｉｉｉ）炭素数５〜８の炭化水素類、（ｉｖ）炭素数９以上の非芳香族化合物類を含む重質炭化水素分子、および（ｖ）炭素数９以上の芳香族化合物類を含む炭素数９以上の芳香族炭化水素類を含み、
（ｂ）炭化水素流の少なくとも一部を、水素の存在下に水素化処理触媒と接触させて炭化水素生成物を生成する工程を含むことができ；水素化処理触媒は、アルミナ担体上のコバルトおよびモリブデン触媒（Ｃｏ−Ｍｏ触媒）を含み、
（ｃ）炭化水素生成物から処理された炭化水素流を回収する工程を含むことができ；処理された炭化水素流は、塩化物含有量が処理された炭化水素流の合計重量を基準として約１０ｐｐｍ未満になる量の一種または二種以上の塩化物化合物類を含み、一種または二種以上の塩化物化合物類の減少は、接触工程（ｂ）中における炭化水素流の脱塩化水素が原因であり；処理された炭化水素流は重質炭化水素分子を含み、処理された炭化水素流中の重質炭化水素分子の量は、接触工程（ｂ）中における炭化水素流からの重質炭化水素分子の少なくとも一部の水素化クラッキングが原因で、炭化水素流中の重質炭化水素分子の量よりも少なく；処理された炭化水素流中は炭素数９以上の芳香族炭化水素類を含み、処理された炭化水素流中の炭素数９以上の芳香族炭化水素類の量は、接触工程（ｂ）中における炭化水素流からの炭素数９以上の芳香族炭化水素類の少なくとも一部の水素化脱アルキル化および／または水素化クラッキングが原因で、炭化水素流中の炭素数９以上の芳香族炭化水素類の量よりも少なく；処理された炭化水素流中の炭素数６〜８の芳香族炭化水素類の量は、接触工程（ｂ）中における炭化水素流からの炭素数９以上の芳香族炭化水素類の少なくとも一部の水素化脱アルキル化および／または重質炭化水素分子の少なくとも一部の水素化クラッキングが原因で、炭化水素流中の炭素数６〜８の芳香族炭化水素類の量よりも多く、および
（ｄ）処理された炭化水素流の少なくとも一部をスチームクラッカーに供給して高価値生成物を生成する工程を含むことができ；処理された炭化水素流は、塩化物含有量、オレフィン含有量、沸点終点、および硫黄含有量についてのスチームクラッカー供給要件を満たし、高価値生成物は、エチレン、プロピレン、ブテン、ブタジエン、芳香族化合物類、またはそれらの組み合わせを含む。プラスチックス廃棄物は、約４００重量ｐｐｍ以上のＰＶＣおよび／またはＰＶＤＣを含む。水素化処理触媒は、水素化処理触媒を硫化物類および塩化物類を含む流れと接触させることにより、脱塩化水素、水素化クラッキングおよび水素化脱アルキル化を同時に行うためにその場でおよび／またはその場以外の場所で活性化される。
【００６７】
本明細書に開示の炭化水素流を水素化処理する方法は、炭化水素流の脱塩化水素、水素化クラッキングおよび水素化脱アルキル化を同時に行うことはない他の類似の方法と比較して、有利に、一種または二種以上のプロセス特性の向上を示す。本明細書に開示の炭化水素流を水素化処理する方法は、炭素数９以上の芳香族炭化水素類を炭素数６〜８の芳香族炭化水素類に選択的に変換させつつ、熱分解油中の合計塩化物含有量をパーセントからｐｐｍ水準に有利に下げることができる。
【００６８】
炭化水素流中に含まれるオレフィンおよび重質炭化水素分子の水素化クラッキングが、本明細書に開示の条件において水素化処理触媒を用いて有利に生じることができる一方、炭化水素流中の炭素数９以上の芳香族炭化水素類も水素化脱アルキル化も行われる。オレフィンが、水素化クラッキングされることに加えて、水素化される。さらに、炭化水素流中に含まれる塩化物化合物類が除去される。炭化水素流成分の同時の水素化脱アルカリ化、水素化、脱塩素化および水素化クラッキングが、単一の水素化処理工程で有利に達成され、処理された炭化水素生成物は、処理された炭化水素生成物をさらに分離または分画することなく、本明細書に特定された供給原料要件を有するスチームクラッカーに供給されることができる。同時の水素化脱アルキル化、水素化、脱塩素化、および水素化クラッキングは、本明細書に開示の量で一種または二種以上の硫化物類および一種または二種以上の塩化物化合物類を含む炭化水素流を、本明細書に開示の操作条件において水素の存在下に水素化処理触媒に連続的に接触させることにより有利に達成される。すなわち、水素化処理反応器に供給される本明細書に開示の組成の炭化水素流を用いることにより、水素化脱アルキル化、水素化、脱塩素化および水素化クラッキングを同時に行うと共に、触媒活性を開始および／または同時に維持することができる。
【００６９】
炭素数６〜８の芳香族炭化水素類などの高価値芳香族化合物類を得るための芳香族分離プロセスは、処理された炭化水素流中の炭素数９以上の芳香族炭化水素類のようなより高級の芳香族化合物類の含有量が低減されているので有利に簡略化することができる。
【００７０】
本明細書に開示の水素化クラッキングは、実施例に示される低い圧力を含めて、水素化処理反応器１０について本明細書に開示されている操作圧力に渡って起こることができる。本明細書に開示の炭化水素流を水素化処理する方法は、スチームクラッカーに要求される３７０℃の沸点終点を満たす。炭化水素流がプラスチック熱分解油を含む場合、プラスチック熱分解油の重質最終産物が水素化クラッキングされる一方、炭素数９以上の芳香族炭化水素類の少なくとも一部が水素化脱アルキル化される。本明細書の開示のプロセスの水素化クラッキング性能に起因するパラフィン類の増加レベルにより、有利に、スチームクラッカーにおいてプロピレンを多量に製造できるようになる。
【００７１】
低温（たとえば、３５０℃未満）での操作は、反応炉冶金の腐食軽減の追加の利点を有する。市販の反応器で使用されているほとんどの金属や合金では、３００℃以上の反応器温度で腐食速度が増加し始める。開示された方法による脱塩素化の効率は、３５０℃未満の反応器温度で良好であり、脱塩素化プロセスは、２６０℃の低さでさえ、アルミナ担体上の硫化Ｃｏ−Ｍｏ触媒を用いて作用することが見出されており、処理された生成物中の塩化物類は１ｐｐｍ未満である。すなわち、冶金学的腐食の問題は軽減され、スチームクラッカー３０への供給のために望ましいレベルへの脱塩素化を達成しながら、より長い装置寿命が可能である。本明細書に開示されているプロセスは、１０ｂａｒｇ程度の低い圧力で作用することが実証されており、これは市販の水素化処理触媒で典型的に使用される条件よりも厳しくない条件である。より低い圧力で動作する能力は、プロセス容器（たとえば、水素化処理反応器１０）の要求される圧力定格を減少させ、投資コストを削減する機会を提供する。本明細書に開示されたプロセスで使用される水素化処理触媒は、水素化クラッキング触媒と比較して、低コストで得られ、改変することができる一方、有利なことに、炭化水素流の脱塩化水素、水素化クラッキングおよび水素化脱アルキル化を同時に行うことができる。
【００７２】
開示されたプロセスは、塩化物含有量、オレフィン含有量、およびスチームクラッカー用の供給原料の沸点終点の要件を達成すると同時に、増加した量の炭素数６〜８の芳香族炭化水素類の製造をもたらす。本明細書に開示の炭化水素流を水素化処理するためのプロセスのさらなる利点は、本開示を参照して当業者には明らかでありうる。
【実施例】
【００７３】
〔実施例１〕
すべての水素化処理実験は、特に断りのない限り、アルミナ上Ｃｏ−Ｍｏ酸化物水素化処理触媒を用い、以下の手順を用いて行った。水素化処理触媒を、ジメチルジスルフィド（ＤＭＤＳ）からの３重量％硫黄を加えたヘキサデカン供給原料で硫化することによって活性化した。触媒の完全硫化（硫化物活性化）に続いて、塩化物（２０５ｐｐｍ）および硫化物（２重量％）含有ＰＩＯＮＡ（ｎ−パラフィン、ｉ−パラフィン、オレフィン、ナフテン、芳香族化合物類）供給原料（３０％のヘキサデカン、１０％のｉ−オクタン、２０％の１−デセン、２０％のシクロヘキサンおよび２０％のエチルベンゼン）を、２６０℃の運転温度、６０ｂａｒｇの運転圧力、０．９２／時の重量空間速度（ＷＨＳＶ）および４１４ＮＬ／Ｌの水素対炭化水素比で、反応器床に導入した。供給原料の連続処理は、供給原料の脱塩素化だけでなく、水素化処理触媒の酸性化（塩化物活性化）ももたらし、それによって水素化（硫化金属部位）およびクラッキング部位（塩化アルミナ）を含有する触媒がもたらされる。この任意の前処理に続いて、触媒を、次に、有機塩化物類および有機硫化物類をドープしたプラスチック熱分解油と接触させた。以下の実施例に含まれる異なる動作条件の下で、同時の脱塩化水素、水素化クラッキングおよび水素化脱アルキル化を達成した。したがって、スチームクラッカーに供給することができる供給原料を生成することが可能であった。
【００７４】
ポリオレフィン類８２％、ポリスチレン１１％、およびポリエチレンテレフタレート（ＰＥＴ）７％の組成を有する混合プラスチックを、ＵＳＹゼオライトを含む使用済流体接触クラッキング触媒を用いて循環流動床ライザー反応器中において熱分解油に変換した。ライザー反応器の底部での供給原料および触媒のカップ混合ゾーン温度は、５３５℃（供給原料および触媒導入位置の下流）であった。ガス収率は５８．８重量％、液体収率は３２．９重量％、コークス収率は８．４重量％であった。ガソリンの収率（＜２２０℃）は２９．３重量％であり、残余の液体はディーゼルおよび重質末端産物あった。この液体生成物３６ｇをｎ−ヘキサデカン２４０ｇと混合して供給混合物（たとえば、炭化水素流）を調製した。この得られた混合物を、以下の実施例に詳述するように、供給原料として固定床反応器におけるその後の実験に使用した。供給混合物の組成を、Ｄｅｔａｉｌｅｄ  Ｈｙｄｒｏｃａｒｂｏｎ  Ａｎａｌｙｓｅｒ（ＡＳＴＭ  Ｄ６７３０）およびＭ／Ｓ  ＡＣ  Ａｎａｌｙｔｉｃａｌ  ＢＶ（オランダ）製の模擬蒸留（ＳＩＭＤＩＳ）ガスクロマトグラフで調べた。供給混合物の２４０℃未満の液体沸点の詳細な炭化水素分析（ＤＨＡ）を表１に示し、この供給原料の沸点分布を表２に示す。表１のデータから、重質で未知のものは含まない基準で、２４０℃未満で沸騰する供給原料カットのＰＩＯＮＡまたはＰ／Ｉ／Ｏ／Ｎ／Ａ組成は、Ｐ：３．７７重量％、Ｉ：７．８３重量％、Ｏ：０．５５重量％、Ｎ：０．１４重量％、Ａ：８７．７１重量であり、重質で未知のものは含まない基準で供給原料中の炭素数９以上の芳香族化合物類は６６．３４重量％であり、重質で未知のものは含まない基準で供給原料中の炭素数６〜８の芳香族化合物類は２１．３７重量％であることが分かる。
【００７５】
【表１】
2019527271.tif 000003
【００７６】
【表２】
2019527271.tif 000004
【００７７】
表２の結果は、供給原料の約９．７３重量％が２４０℃未満で沸騰し、供給原料の１４．４重量％が２８０℃未満で沸騰することを示している。重質で未知のものは含まない基準で、２４０℃未満で沸騰する供給原料中の様々な種の重量％は表３に示すとおりである。
【００７８】
【表３】
2019527271.tif 000005
【００７９】
有機塩化物類およびＤＭＤＳをこの供給原料と混合し、供給原料の合計重量を基準として、塩化物含有量８３６重量ｐｐｍおよび硫黄含有量２．３４重量％となった。上記の表３のデータは、供給原料全体における２４０℃未満で沸騰するＰ／Ｉ／Ｏ／Ｎ／Ａを示している。これらのデータを用いて、異なる化合物の枯渇および／または形成を決定するための後の実施例からの類似組成産物のデータと比較した。表２は、供給原料全体の沸点分布を示し、水素化クラッキングによって形成されたより軽い分子の割合を決定するための次の実施例における生成物の沸点分布と比較するために使用した。
【００８０】
〔実施例２〕
１０３４重量ｐｐｍの有機塩化物類および２重量％のＳをドープしたｎ−ヘキサデカンを固定床触媒系と共に実験で用いて、実施例１に記載したように水素化処理実験を行った。この実験は、反応器触媒床温度３００℃、圧力４０ｂａｒｇ、ＷＨＳＶ０．９２／時、および水素対炭化水素比４１４ＮＬ／Ｌで行った。液体生成物の模擬蒸留結果を表４に示す。
【００８１】
【表４】
2019527271.tif 000006
【００８２】
表４の結果は、生成物の１３．５重量％が２４０℃未満で沸騰し、生成物の１８重量％が２８０℃未満で沸騰することを示している。全沸点は、ｎ−ヘキサデカン供給原料の使用および転化に対応している。液体生成物の塩化物含有量は０．３重量ｐｐｍだった。２４０℃未満で沸騰する液体生成物のＤＨＡ結果を表５に示す。
【００８３】
【表５】
2019527271.tif 000007
【００８４】
表５のデータは、生成物流（たとえば、図１の炭化水素生成物流２、処理された炭化水素流４等）中の炭素数６〜８の芳香族炭化水素類の量が、供給原料流（たとえば、図１の炭化水素流１）中の炭素数６〜８の芳香族炭化水素類の量と比較した場合に増加していることを示しており、炭素数６〜８の芳香族炭化水素類の量の増加は、飽和化合物の水素化クラッキングによるものである。たとえば、ｎ−パラフィンであるヘキサデカンは、変換して、相当量の芳香族類を形成する。
【００８５】
表５のデータを重質で未知のものは含まない基準で標準化し、２４０℃未満で沸騰する液体生成物中の様々な種の重量濃度（％）を表６に示す。
【００８６】
【表６】
2019527271.tif 000008
【００８７】
ｎ−ヘキサデカンの１３．５重量％が２４０℃未満で沸騰する種に転化することを考慮して、ｎ−ヘキサデカンの重量％でのこれらの種の収率を計算し、表７に示す。
【００８８】
【表７】
2019527271.tif 000009
【００８９】
表７のデータは、ｎ−ヘキサデカンが主としてｎ−パラフィン類、ｉ−パラフィン類、ナフテン類、および芳香族化合物類に転化されたことを示している。したがって、これらのデータから、重質炭化水素分子の水素化クラッキング中にＣ９のみならずＣ６−Ｃ８芳香族化合物類が形成されうることが示される。
【００９０】
〔実施例３〕
実験条件が表８に示され、データが実施例２に記載されたように計算されて、実施例１と同様のさらなる研究も実施した。
【００９１】
【表８】
2019527271.tif 000010
【００９２】
２４０℃未満で沸騰する液体生成物のＤＨＡ結果を表９に示す。
【００９３】
【表９】
2019527271.tif 000011
【００９４】
重質で未知のものは含まない基準で、ＤＨＡ分析結果を表１０に示す。供給原料の芳香族類含有量８７．７重量％と比較して、重質で未知のものは含まない基準で、生成物の芳香族化合物類は１３．１９重量％への著しい低下が見られ、高圧では開環水素化クラッキングがより好ましいことを示している。
【００９５】
【表１０】
2019527271.tif 000012
【００９６】
液体生成物の沸点分布を表１１に示す。
【００９７】
【表１１】
2019527271.tif 000013
【００９８】
表１１の結果は、生成物の１３．３重量％が２４０℃未満で沸騰し、生成物の１５重量％が２８０℃未満で沸騰することを示している。２４０℃未満で沸騰する１３．３重量％の液体生成物を考慮して、供給原料の重量％として種の対応する収率を計算して表１２に示す。
【００９９】
【表１２】
2019527271.tif 000014
【０１００】
さらに、実施例１に概説した供給原料組成（重量％）から表１２の収率を差し引くことによって、新しいまたは新しく形成された種の収量が得られ、表１３に示す。
【０１０１】
【表１３】
2019527271.tif 000015
【０１０２】
表１３のデータは、供給原料中のアルキル芳香族化合物類が他のパラフィン、ナフテン、およびオレフィン化合物類に転化することを明確に示している。Ｃ６芳香族化合物類を除いて、この実験で用いた６０ｂａｒｇの比較的高圧で、他のすべての芳香族化合物類も転化していた。したがって、すべてまたはほとんどすべての芳香族化合物類を開環することが好ましい場合には、高圧条件がこのような開環を促進することができる。
【０１０３】
〔実施例４〕
実験条件が実施例４については表８に概説された通りであり、データが実施例２および３に記載されているように計算されて、追加の研究を実施例１および３と同様に行った。２４０℃未満で沸騰する液体生成物のＤＨＡ結果を表１４に示す。
【０１０４】
【表１４】
2019527271.tif 000016
【０１０５】
重質で未知のものは含まない基準で、ＤＨＡ分析結果を表１５に示す。炭素数９以上の芳香族化合物類は、供給原料中で６６．３重量％であり、生成物中で２３．２７重量％まで低下し、炭素数９以上の芳香族化合物類の有意な脱アルキル化を示している。生成物中のＣ６−Ｃ８芳香族化合物類は２１．７３重量％であり、供給原料中の２１．３７重量％からわずかに変化していた。
【０１０６】
【表１５】
2019527271.tif 000017
【０１０７】
液体生成物の沸点分布を表１６に示す。
【０１０８】
【表１６】
2019527271.tif 000018
【０１０９】
表１６の結果は、生成物の１３．１重量％が２４０℃未満で沸騰し、生成物の１６．５重量％が２８０℃未満で沸騰することを示している。２４０℃未満で沸騰する１３．１重量％の液体生成物を考慮して、供給原料の重量％として種の対応する収率を計算し、表１７に示す。
【０１１０】
【表１７】
2019527271.tif 000019
【０１１１】
さらに、実施例１に概説した供給原料組成（重量％）から表１７の収率を差し引くことによって、新しいまたは新しく形成された種の収率を得て、表１８に示す。
【０１１２】
【表１８】
2019527271.tif 000020
【０１１３】
表１８のデータは、供給原料中のアルキル芳香族化合物類が他のパラフィン、ナフテン、およびオレフィン化合物類に転化することを明確に示している。さらに、供給原料中の高分子量化合物が低分子量成分に転化する。表１８のデータは、明らかにＣ９〜Ｃ１２芳香族化合物類の減少を示す。この減少は、供給原料中の炭素数９以上の芳香族化合物類と比較して５３％であった。この割合の減少は、表１８の炭素数９以上の芳香族化合物類の相違を表３の炭素数９以上の芳香族化合物類で除し、その結果を％減少として表すことによって計算した。さらに、Ｃ６−Ｃ８芳香族化合物類の生成は、同様の計算によって３６．４％（たとえば、Ｃ６−Ｃ８芳香族化合物類の割合増加）であった。
【０１１４】
〔実施例５〕
実験条件は表８に概説された通りであり、データは実施例２および３に記載のように計算して、追加の研究を実施例１および３と同様に行った。２４０℃未満で沸騰する液体生成物についてのＤＨＡ結果を表１９に示す。
【０１１５】
【表１９】
2019527271.tif 000021
【０１１６】
表１に示すＤＨＡ結果と表９、表１４、および表１９に示すデータとを比較すると、供給原料流（たとえば、図１の炭化水素流１）と生成物流（たとえば、図１の炭化水素生成物流２、処理された炭化水素流４等）との間の組成物変化が明らかになる。
【０１１７】
重質で未知のものは含まない基準で、ＤＨＡ分析結果を表２０に示す。
【０１１８】
【表２０】
2019527271.tif 000022
【０１１９】
表１５および表２０のデータは、供給原料流（たとえば、図１の炭化水素流１）と比較した生成物流（たとえば、図１の炭化水素生成物流２、処理された炭化水素流４等）中における芳香族化合物の含有量の著しい低下を示している。
【０１２０】
液体生成物の沸点分布を表２１に示す。
【０１２１】
【表２１】
2019527271.tif 000023
【０１２２】
表２１の結果は、生成物の１３．５重量％が２４０℃未満で沸騰し、生成物の２８．２重量％が２８０℃未満で沸騰することを示している。２４０℃未満で沸騰する１３．５重量％の液体生成物を考慮して、供給原料の重量％での対応する収率を計算し、表２２に示す。
【０１２３】
【表２２】
2019527271.tif 000024
【０１２４】
さらに、実施例１に概説した供給原料組成（重量％）から表２２の収率を差し引くことにより、新しいまたは新たに形成された種の収率を得て、表２３に示す。
【０１２５】
【表２３】
2019527271.tif 000025
【０１２６】
表２３のデータは、供給原料中のアルキル芳香族化合物類が他のパラフィン、ナフテン、およびオレフィン化合物類に転化することを明確に示している。さらに、供給原料中の高分子量化合物が低分子量成分に転化する。表２３のデータは、明らかに、（ｉ）Ｃ９〜Ｃ１２芳香族化合物類の減少：実施例４に概説したような同様の計算を用いて炭素数９以上の芳香族化合物類の４５．９％減少、および（ｉｉ）Ｃ６−Ｃ８芳香族化合物類の形成または増加：実施例４に概説したような同様の計算を用いて２０．１２パーセントの増加を、示している。
【０１２７】
〔実施例６〕
実験条件は表８に概説された通りであり、データは実施例２および３に記載されているように計算して、追加の研究も実施例１および３と同様に行った。液体生成物の沸点分布を表２４に示す。
【０１２８】
【表２４】
2019527271.tif 000026
【０１２９】
表２４の結果は、生成物の２１．８重量％が２４０℃未満で沸騰し、生成物の５０．３重量％が２８０℃未満で沸騰することを示している。
【０１３０】
全体として、実施例３〜６の結果の要約を表２５に示す。
【０１３１】
【表２５】
2019527271.tif 000027
【０１３２】
実施例３〜６のデータは、より高い運転温度では、沸点が２４０℃未満の生成物および沸点が２８０℃未満の生成物への転化率が増加することを示している。さらに、より低い圧力およびより高い温度では、炭素数９〜１２の芳香族化合物類の収率が減少する一方、炭素数６〜８の芳香族化合物類の収率は維持または改善される。さらに、より高い圧力では、Ｃ６〜Ｃ８芳香族化合物類の収率も低下する。得られた生成物を、下流の水素化ユニットでは従来の水素化触媒を適用することにより、または同じ反応器（たとえば、水素化処理反応器）では接触時間を増やすことにより、穏やかな水素化によって、１重量％未満の生成オレフィン含有量まで飽和させることができる。全体として、データは、炭素数６〜８の芳香族化合物類を維持しながら、かつ同時に脱塩化水素および水素化クラッキングを行ないながら、高級アルキル芳香族化合物類を選択的に脱アルキル化することができることを示している。
【０１３３】
当業者によって理解されるように、および本開示の助けを借りると、生成芳香族含有量は、水素圧力のみならず供給原料芳香族含有量に依存する。実施例１〜６のＤＨＡ分析から分かるように、２４０℃未満で沸騰する液体中の芳香族含有量は、２４０℃未満で沸騰する炭化水素生成物の合計重量を基準として、炭化水素生成物中１２〜４０重量％の範囲であり、これは、２４０℃未満で沸騰する供給原料の合計重量を基準として、２４０℃未満で沸騰する供給原料中の約７０重量％の芳香族含有量から著しく低下している。これらのデータは、有意な開環水素化クラッキングを示している。
【０１３４】
さらに、実施例１〜６のデータは、２４０℃未満で沸騰する供給原料の合計重量を基準にして、２４０℃未満で沸騰する液体供給原料中の炭素数９以上の芳香族含有量５３．６重量％が、２４０℃未満で沸騰する炭化水素生成物の合計重量を基準として、２４０℃未満で沸騰する炭化水素生成物カット中の約２．９８〜２０．１７重量％の範囲に低下することを示している。これらのデータは、炭素数９以上の芳香族化合物類の有意な転化を示す。より高い圧力では、２４０℃未満で沸騰する炭化水素生成物のより低い芳香族含有量が観察され、より低い圧力では、２４０℃未満で沸騰する炭化水素生成物のより高い芳香族含有量が観察される。
【０１３５】
〔追加的開示〕
以下は、非限定的な例として提供される列挙された実施形態である。
【０１３６】
第一の態様は、炭化水素流を水素化脱アルキル化する方法であって、（ａ）炭素数９以上の芳香族炭化水素類を含む前記炭化水素流を水素の存在下に水素化処理反応器中で水素化処理触媒と接触させて炭化水素生成物を得る工程；および（ｂ）処理された炭化水素流を前記炭化水素生成物から回収する工程であって、前記処理された炭化水素流が炭素数９以上の芳香族炭化水素類を含み、前記処理された炭化水素流中の炭素数９以上の芳香族炭化水素類の量が、前記接触する工程（ａ）中における前記炭化水素流からの炭素数９以上の芳香族炭化水素類の少なくとも一部の水素化脱アルキル化により、前記炭化水素流中の炭素数９以上の芳香族炭化水素類の量より少ない工程を含む。
【０１３７】
第二の態様は、前記炭化水素流を水素化処理触媒と接触させる前記工程（ａ）が約１００℃〜約５５０℃の温度で行われる、第一の態様の方法である。
【０１３８】
第三の態様は、前記炭化水素流を水素化処理触媒と接触させる前記工程（ａ）が、約１バール（ｂａｒａ：絶対圧）〜約２００バール（ｂａｒｇ：ゲージ圧）の圧力で行われる、第一および第二の態様のいずれか１つの方法である。
【０１３９】
第四の態様は、前記水素化処理触媒が、前記水素化処理触媒を硫化物類および塩化物類を含む流れに接触させることによりその場でおよび／またはその場以外の場所で活性化され、前記水素化処理触媒が、脱塩化水素、水素化クラッキングおよび水素化脱アルキル化を同時に行うように活性化される、第一から第三の態様のいずれか１つの方法である。
【０１４０】
第五の態様は、前記炭化水素流を水素化処理触媒に接触させる前記工程（ａ）が、約０．１／時〜約１０／時の重量空間速度で行われる、第一から第四の態様のいずれか１つの方法である。
【０１４１】
第六の態様は、前記炭化水素流を水素化処理触媒と接触させる前記工程（ａ）が、約１０ＮＬ／Ｌ〜約３，０００ＮＬ／Ｌの水素対炭化水素比で実施される、第一から第五の態様のいずれか１つの方法である。
【０１４２】
第七の態様は、前記水素化処理触媒が、アルミナ担体上のコバルトおよびモリブデン、アルミナ担体上のニッケルおよびモリブデン、アルミナ担体上のタングステンおよびモリブデン、アルミナ担体上の白金およびパラジウム、硫化ニッケル、アルミナ担体上の硫化ニッケル、硫化モリブデン、アルミナ担体上の硫化モリブデン、硫化ニッケルおよび硫化モリブデン、アルミナ担体上の硫化ニッケルおよび硫化モリブデン、コバルトおよびモリブデンの酸化物、アルミナ支持体上のコバルトおよびモリブデンの酸化物、またはそれらの組み合わせを含む第一から第六の態様のいずれか１つの方法である。
【０１４３】
第八の態様は、前記炭化水素流を水素化処理触媒と接触させる前記工程（ａ）が、さらに、前記炭化水素流に含まれるおよび／または添加された一種または二種以上の硫化物類を前記水素化処理触媒に接触させることを含む、第一から第七の態様のいずれか１つの方法である。
【０１４４】
第九の態様は、前記炭化水素流は、前記炭化水素流の硫黄含有量が前記炭化水素流の合計重量を基準として約０．０５重量％〜約５重量％になるのに有効な量の、一種または二種以上の硫化物類が前記炭化水素流に含まれるおよび／または添加されている第八に記載の方法である。
【０１４５】
第十の態様は、前記炭化水素流は、前記炭化水素流の塩化物含有量が前記炭化水素流の合計重量を基準として約１０ｐｐｍ以上になる量の、一種または二種以上の塩化物化合物類が前記炭化水素流に含まれるおよび／または添加され、前記処理された炭化水素流は、前記処理された炭化水素流の塩化物含有量が前記処理された炭化水素流の合計重量を基準として約１０ｐｐｍ未満になる量の、一種または二種以上の塩化物化合物類を含む第一〜第九の態様のいずれか１つの方法である。
【０１４６】
第十一の態様は、前記炭化水素流は、さらに、前記炭化水素流の塩化物含有量が、前記炭化水素流の合計重量を基準として約２００ｐｐｍ以上になる量の、一種または二種以上の塩化物化合物類を含む第一〜第十の態様のいずれか１つの方法である。
【０１４７】
第十二の態様は、前記処理された炭化水素流は、さらに、前記処理された炭化水素流の塩化物含有量が前記処理された炭化水素流の合計重量を基準として約１０ｐｐｍ未満になる量の、一種または二種以上の塩化物化合物を含み、前記方法が、さらに、前記処理された炭化水素流をスチームクラッカーに供給することを含む第一〜第十一の態様のいずれか１つの方法である。
【０１４８】
第十三の態様は、前記処理された炭化水素流が、約３７０℃未満の沸点終点を特徴とする第十二の態様の方法である。
【０１４９】
第十四の態様は、処理された炭化水素流を前記炭化水素生成物から回収する前記工程（ｂ）が、（ｉ）分離器中において硫黄および塩素含有ガスから処理された生成物を分離すること、および、（ｉｉ）前記処理された炭化水素流中の前記処理された生成物を前記分離器から流出させること、を含む第一〜第十三の態様のいずれか１つの方法である。
【０１５０】
第十五の態様は、処理された炭化水素流を前記炭化水素生成物から回収する前記工程（ｂ）が、（ｉ）中間の処理された生成物を分離器内において硫黄および塩素含有ガスから分離する工程と、（ｉｉ）中間の処理された炭化水素流中の前記中間の処理された生成物を前記分離器から蒸留塔へ流出させて、約３７０℃未満の沸点終点を特徴とする処理された炭化水素流および約３７０℃以上の沸点終点を特徴とする重質の処理された炭化水素流を生成する工程と、（ｉｉｉ）前記処理された炭化水素流の少なくとも一部をスチームクラッカーに供給する工程と、（ｉｖ）前記重質の処理された炭化水素流の少なくとも一部を前記水素化処理反応器に炭化水素流として再循環させる工程とを含む、第一?第十四の態様のいずれか１つの方法である。
【０１５１】
第十六の態様は、前記炭化水素流が、炭素数６〜８の芳香族炭化水素類を含み、前記処理された炭化水素流が、炭素数６〜８の芳香族炭化水素類を含み、前記処理された炭化水素流中の炭素数６〜８の芳香族炭化水素類の量が、工程（ａ）中における前記炭化水素流からの炭素数９以上の芳香族炭化水素類の少なくとも一部の水素化脱アルキル化により、前記炭化水素流中の炭素数６〜８の芳香族炭化水素類の量より多い第一〜第十五の態様のいずれか１つの方法である。
【０１５２】
第十七の態様は、前記炭化水素流が、炭素数６〜８の芳香族炭化水素類および重質炭化水素分子を含み、前記処理された炭化水素流が、炭素数６〜８の芳香族炭化水素類を含み、前記処理された炭化水素流中の炭素数６〜８の芳香族炭化水素類の量が、前記炭化水素流中の炭素数６〜８の芳香族炭化水素類の量と比較した場合に少なくとも１重量％以上増加しており、炭素数６〜８の芳香族炭化水素類の量の増加は、炭素数９以上の芳香族炭化水素類の少なくとも一部の水素化脱アルキル化および／または工程（ａ）中における前記炭化水素流からの重質炭化水素分子の少なくとも一部の水素化クラッキングが原因である、第一〜十六の態様のいずれか１つの方法である。
【０１５３】
第十八の態様は、工程（ａ）中に水素化脱アルキル化される炭素数９以上の芳香族炭化水素類の少なくとも一部が、前記炭化水素流中の炭素数９以上の芳香族炭化水素類の約５重量％以上である第一〜第十七の態様のいずれか１つの方法である。
【０１５４】
第十九の態様は、前記炭化水素流中の炭素数９以上の芳香族炭化水素類の量が、前記炭化水素流の合計重量を基準として約１重量％〜約９９重量％である第一〜第十八の態様のいずれか１つの方法である。
【０１５５】
第二十の態様は、前記炭化水素流が、プラスチック熱分解油、タイヤ熱分解油、石油起源流、石油精製流、熱分解ガソリン、アルキル芳香族含有流、またはそれらの組み合わせを含む第一〜第十九の態様のいずれか１つの方法である。
【０１５６】
第二十一の態様は、炭化水素流を水素化処理する方法であって、前記炭化水素流の、脱塩化水素、水素化クラッキング、および水素化脱アルキル化を同時に行うことを含んでなり、前記方法は、
（ａ）塩化物類および硫化物類を含有する前記炭化水素流を水素の存在下に水素化処理触媒と接触させて炭化水素生成物を得る工程であって、前記炭化水素流が、（ｉ）塩化物含有量が前記炭化水素流の合計重量を基準にして約１０ｐｐｍ以上になる量の一種または二種以上の塩化物化合物類；（ｉｉ）硫黄（Ｓ）含有量が前記炭化水素流の合計重量を基準として約０．０５重量％〜約５重量％になる量の一種または二種以上の硫化物化合物類；（ｉｉｉ）炭素数５〜８の炭化水素類；（ｉｖ）重質炭化水素分子；および、（ｖ）炭素数９以上の芳香族炭化水素類を含む工程；ならびに、
（ｂ）処理された炭化水素流を前記炭化水素生成物から回収する工程であって、前記処理された炭化水素流が、塩化物含有量が前記処理された炭化水素流の合計重量を基準として約１０ｐｐｍ未満になる量の一種または二種以上の塩化物化合物類を含み、一種または二種以上の塩化物化合物類の減少は、接触する前記工程（ａ）中における前記炭化水素流の脱塩化水素が原因であり、前記処理された炭化水素流が、重質炭化水素分子を含み、前記処理された炭化水素流中の重質炭化水素分子の量は、接触の前記工程（ａ）中における前記炭化水素流からの重質炭化水素分子の少なくとも一部の水素化クラッキングにより、前記炭化水素流中の重質炭化水素分子の量より少なく、前記処理された炭化水素流が、炭素数９以上の芳香族炭化水素類を含み、前記処理された炭化水素流中の炭素数９以上の芳香族炭化水素類の量は、接触の前記工程（ａ）中における前記炭化水素流からの炭素数９以上の芳香族炭化水素類の少なくとも一部の水素化脱アルキル化により、前記炭化水素流中の炭素数９以上の芳香族炭化水素類の量より少ないことを特徴とする工程、を含む方法である。
【０１５７】
第二十二の態様は、前記水素化処理触媒が、前記水素化処理触媒を硫化物類および塩化物類を含む流れに接触させることによりその場でおよび／またはその場以外の場所で活性化され、前記水素化処理触媒が、脱塩化水素、水素化クラッキング、および水素化脱アルキル化を同時に行うように活性化される、第二十一の態様の方法である。
【０１５８】
第二十三の態様は、プラスチック廃棄物を処理する方法であって、
（ａ）プラスチック廃棄物を炭化水素流に変換する工程であって、前記炭化水素流が、（ｉ）塩化物含有量が前記炭化水素流の合計重量を基準にして約１０ｐｐｍ以上になる量の一種または二種以上の塩化物化合物類；（ｉｉ）硫黄（Ｓ）含有量が前記炭化水素流の合計重量を基準として約０．０５重量％〜約５重量％になる量の一種または二種以上の硫化物化合物類；（ｉｉｉ）炭素数５〜８の炭化水素類；（ｉｖ）重質炭化水素分子；および、（ｖ）炭素数９以上の芳香族炭化水素類を含む工程；
（ｂ）前記炭化水素流の少なくとも一部を水素の存在下に水素化処理触媒と接触させて炭化水素生成物を得る工程；
（ｃ）処理された炭化水素流を前記炭化水素生成物から回収する工程であって、処理された炭化水素流が、塩化物含有量が前記処理された炭化水素流の合計重量を基準として約１０ｐｐｍ未満になる量の一種または二種以上の塩化物化合物類を含み、一種または二種以上の塩化物化合物類の減少は、接触する前記工程（ｂ）中における前記炭化水素流の脱塩化水素が原因であり、前記処理された炭化水素流が、重質炭化水素分子を含み、前記処理された炭化水素流中の重質炭化水素分子の量は、接触の前記工程（ｂ）中における前記炭化水素流からの重質炭化水素分子の少なくとも一部の水素化クラッキングにより、前記炭化水素流中の重質炭化水素分子の量より少なく、前記処理された炭化水素流が、炭素数９以上の芳香族炭化水素類を含み、前記処理された炭化水素流中の炭素数９以上の芳香族炭化水素類の量は、接触の前記工程（ｂ）中における前記炭化水素流からの炭素数９以上の芳香族炭化水素類の少なくとも一部の水素化脱アルキル化により、前記炭化水素流中の炭素数９以上の芳香族炭化水素類の量より少ない工程；ならびに、
（ｄ）前記処理された炭化水素流の少なくとも一部をスチームクラッカーに供給して、高価値生成物を生成する工程であって、前記処理された炭化水素流が、塩化物含有量、オレフィン含有量、沸点終点、および硫黄含有量についてのスチームクラッカー供給要求事項を満たし、前記高価値生成物が、エチレン、プロピレン、ブテン、ブタジエン、芳香族化合物類、またはそれらの組み合わせを含む工程、を含む方法である。
【０１５９】
第二十四の態様は、前記プラスチック廃棄物が、約４００重量ｐｐｍ以上のポリ塩化ビニルおよび／またはポリ塩化ビニリデンを含む第二十三の態様の方法である。
【０１６０】
第二十五の態様は、前記プラスチック廃棄物が、ポリオレフィン類、ポリスチレン類、ポリエチレンテレフタレート（ＰＥＴ）、ポリ塩化ビニル（ＰＶＣ）、ポリ塩化ビニリデン（ＰＶＤＣ）、またはそれらの組み合わせを含む第二十三または第二十四の態様に記載の方法。
【０１６１】
第二十六の態様は、前記水素化処理触媒が、前記水素化処理触媒を硫化物類および塩化物類を含む流れに接触させることによりその場でおよび／またはその場以外の場所で活性化され、前記水素化処理触媒が、脱塩化水素、水素化クラッキングおよび水素化脱アルキル化を同時に行うように活性化される、第二十三〜第二十五のいずれか１つの態様の方法。
【図１】
2019527271.tif 000028
【国際調査報告】
2019527271.tif 000029
2019527271.tif 000030